(57)【要約】本発明の実施形態は、信号伝送方法を提供する。ユーザ機器は、無線ネットワークデバイスから第１信号を受信し、ユーザ機器は、送信されるべき第２信号の空間情報を第１信号に基づき決定し、空間情報を使用することによってその送信されるべき第２信号を送信する。アップリンク伝送ビームは、ダウンリンク受信ビームの関連情報を使用することによって決定され、それにより、ＵＥは、ＵＥによって送信されるべきアップリンク信号の空間情報を効率的に決定することができる。
2020506583.tif 000002
【特許請求の範囲】
【請求項１】
信号伝送方法であって、
第１無線ネットワークデバイスから第１信号を受信することと、
送信されるべき第２信号の空間情報を前記第１信号に基づき決定し、前記空間情報を使用することによって前記送信されるべき第２信号を送信することと
を有する方法。
【請求項２】
第２無線ネットワークデバイスから第１インジケーション情報を受けることを更に有し、
前記第１インジケーション情報は、前記空間情報に対する疑似コロケーション関係が前記第２信号と前記第１信号との間に存在することを示すために使用され、
前記第２無線ネットワークデバイスは、前記第１無線ネットワークデバイスと同じであるか又は異なる、
請求項１に記載の方法。
【請求項３】
信号伝送方法であって、
第１信号を端末デバイスへ送信することと、
前記端末デバイスから第２信号を受信することと
を有し、
前記第１信号は、前記第２信号の空間情報のための基準である、
方法。
【請求項４】
第１インジケーション情報を前記端末デバイスへ送ることを更に有し、
前記第１インジケーション情報は、前記空間情報に対する疑似コロケーション関係が前記第２信号と前記第１信号との間に存在することを示すために使用される、
請求項３に記載の方法。
【請求項５】
前記第２無線ネットワークデバイスは、端末デバイスにサービングする無線ネットワークデバイスであり、
前記第１無線ネットワークデバイスは、前記サービングする無線ネットワークデバイス又は該サービングする無線ネットワークデバイスとは異なる無線ネットワークデバイスである、
請求項２に記載の方法。
【請求項６】
前記第１インジケーション情報が、前記空間情報に対する疑似コロケーション関係が前記第２信号と前記第１信号との間に存在することを示すために使用されることは、
前記第１インジケーション情報が、前記空間情報に対する疑似コロケーション関係が前記第２信号のリソース情報と前記第１信号のリソース情報との間に存在することを示すために使用され、
前記リソース情報が、リソース識別子情報、アンテナ・ポート情報、チャネル状態情報測定設定識別子情報、及びプロセス識別子情報のうちの少なくとも１つを有する
ことを有する、
請求項２、４及び５のうちいずれか一項に記載の方法。
【請求項７】
前記第１信号は、非ゼロ電力参照信号を有し、且つ／あるいは、前記第２信号は、参照信号を有し、
前記第１信号に含まれる前記非ゼロ電力参照信号は、チャネル状態情報を得るために使用される非ゼロ電力参照信号、復調のために使用される非ゼロ電力参照信号、及びビーム管理のために使用される非ゼロ電力参照信号のうちの少なくとも１つであり、
前記第２信号に含まれる前記参照信号は、復調のために使用される参照信号及びアップリンクチャネル測定のために使用される参照信号のうちの少なくとも１つである、
請求項２及び４乃至６のうちいずれか一項に記載の方法。
【請求項８】
前記第１インジケーション情報は、疑似コロケーション情報を示すために使用されるフィールドに含まれ、あるいは、
前記第１インジケーション情報は、ダウンリンク制御情報に含まれ、該ダウンリンク制御情報は、アップリンクスケジューリング関連情報を示すために使用される情報を更に有し、あるいは、
前記第１インジケーション情報は、アップリンクスケジューリング関連情報を示すために使用されるフィールドに含まれる、
請求項２及び４乃至７のうちいずれか一項に記載の方法。
【請求項９】
第２無線ネットワークデバイスから第２インジケーション情報を受けることを更に有し、
前記第２インジケーション情報は、前記第１信号が前記第２信号の前記空間情報のための基準となることを示すために使用され、
前記第２無線ネットワークデバイスは、前記第１無線ネットワークデバイスと同じであるか又は異なる、
請求項１又は７に記載の方法。
【請求項１０】
第２インジケーション情報を前記端末デバイスへ送ることを更に有し、
前記第２インジケーション情報は、前記第１信号が前記第２信号の前記空間情報のための基準となることを示すために使用される、
請求項３又は７に記載の方法。
【請求項１１】
前記第２インジケーション情報は、前記第１信号のコンフィグレーション情報に含まれる、
請求項９又は１０に記載の方法。
【請求項１２】
前記第１信号の前記コンフィグレーション情報は、前記第１信号のチャネル状態情報測定設定フィールド、前記第１信号のプロセスフィールド、前記第１信号のリソースフィールド、前記第１信号のアンテナ・ポート情報フィールド、及び前記第１信号のビーム情報フィールドのうちの少なくとも１つを有する、
請求項１１に記載の方法。
【請求項１３】
前記第２インジケーション情報は、数ビットを有し、
前記第１信号は、前記数ビットのうちの少なくとも１ビットに対応し、該少なくとも１ビットは、前記第１信号が前記第２信号の前記空間情報のための前記基準となることを示す、
請求項９乃至１２のうちいずれか一項に記載の方法。
【請求項１４】
前記第２インジケーション情報は、前記第１信号の前記チャネル状態情報測定設定フィールド又は前記第１信号の前記プロセスフィールドに含まれる、
請求項１３に記載の方法。
【請求項１５】
前記第２インジケーション情報は、ブール値を含むフィールドであり、あるいは、
前記第２インジケーション情報は、前記第１信号が前記第２信号の前記空間情報のための前記基準となることを示すために使用される場合にのみ存在する、
請求項９乃至１２のうちいずれか一項に記載の方法。
【請求項１６】
前記第２インジケーション情報は、前記第１信号の前記リソースフィールド、前記第２信号の前記アンテナ・ポート情報フィールド、及び前記第１信号の前記ビーム情報フィールドのうちの少なくとも１つに含まれる、
請求項１５に記載の方法。
【請求項１７】
送信されるべき第２信号の空間情報を前記第１信号に基づき決定することは、
前記第１信号が前記第２信号の前記空間情報のための参照信号であると決定することと、
前記送信されるべき第２信号の前記空間情報を前記第１信号に基づき決定することと
を有する、
請求項１又は７に記載の方法。
【請求項１８】
前記第１信号が前記第２信号の前記空間情報のための参照信号であると決定することは、
前記端末デバイスによって、前記第１信号が前記第２信号の前記空間情報のための前記参照信号の特徴を有していると決定すること
を有する、
請求項１７に記載の方法。
【請求項１９】
前記第１信号が前記第２信号の空間情報のための基準であることは、
前記第１信号が、前記第２信号の前記空間情報のための参照信号の特徴を有していること
を有する、
請求項３又は７に記載の方法。
【請求項２０】
前記第２信号の前記空間情報のための前記参照信号の前記特徴は、前記信号のリソース情報を有し、該リソース情報は、アンテナ・ポート情報、リソース識別子情報、チャネル状態情報測定設定識別子情報、及びプロセス識別子情報のうちの少なくとも１つを有し、
前記信号は、ダウンリンク制御信号、非ゼロ電力参照信号、及びビーム管理のために使用される信号のうちの少なくとも１つを有する、
請求項１８又は１９に記載の方法。
【請求項２１】
前記第２信号の前記空間情報は、前記第２信号の送信角度を有し、
前記第２信号の前記送信角度は、前記第１信号の到来角に基づき決定される、
請求項１乃至２０のうちいずれか一項に記載の方法。
【請求項２２】
送信されるべきアップリンク信号の送信電力を前記第１信号の受信電力に基づき決定することと、
前記第２信号及び／又は該第２信号に関連する信号を有する前記アップリンク信号を前記送信電力に基づき送信することと
を更に有し、且つ／あるいは、
前記第１信号の受信時間の変化に基づきアップリンク伝送タイミングアドバンスを調整することと、
前記第２信号及び／又は該第２信号に関連する信号を有するアップリンク信号を前記調整されたアップリンク伝送タイミングアドバンスに基づき送信することと
を更に有する、
請求項１及び２、５乃至９、１１乃至１８、並びに２０及び２１のうちいずれか一項に記載の方法。
【請求項２３】
プロセッサ、メモリ、及びトランシーバユニットを有し、
前記メモリは、命令を記憶するよう構成され、
前記プロセッサは、前記メモリに記憶されている前記命令を実行し、前記トランシーバユニットを、信号を受信及び送信するように制御するよう構成され、
前記プロセッサが前記メモリに記憶されている前記命令を実行するときに、請求項１乃至２２のうちいずれか一項に記載の方法が実施される、
信号伝送装置。
【請求項２４】
前記トランシーバユニットは、トランシーバ又は入出力インターフェイスである、
請求項２３に記載の装置。
【請求項２５】
請求項１乃至２２のうちいずれか一項に記載の方法を実行するよう構成される通信装置。
【請求項２６】
コンピュータプログラムを有し、該コンピュータプログラムがコンピュータで実行されるときに、請求項１乃至２２のうちいずれ一項に記載の方法が実行される、
コンピュータ可読記憶媒体。
【発明の詳細な説明】
【技術分野】
【０００１】
本願は、通信テクノロジの分野に、特に、信号伝送方法及び装置に関係がある。
【背景技術】
【０００２】
図１は、通信システムの構造図である。通信システムは、複数の無線ネットワークデバイス（例えば、基地局）と、各ネットワークデバイスのカバレッジ内にある複数のユーザ機器（user  equipment，ＵＥ）とを含む。
【０００３】
マッシブ・マルチ入力マルチ出力（Massive  Multiple  Input  Multiple  Output，Ｍａｓｓｉｖｅ  ＭＩＭＯ）は、更なる空間自由度を使用することによってシステム容量を更に増大させ、従って、ニュー・ラジオ・アクセス・テクノロジ（New  Radio  access  technology，ＮＲ）における重要なテクノロジになることができる。
【０００４】
ＮＲにおいて、ビームに基づく伝送が注目を浴びている。高分解能ビームは、マッシブ・アンテナ・アレイの構成に基づきＮＲにおいて形成され得る。
【０００５】
現在の研究において、至急に解決されるべき問題は、どのＵＥがアップリンク伝送においてアップリンク信号を送信するのかに基づきアップリンク送信ビーム（具体的に、アップリンク信号の空間情報又は方向情報）を決定することである。
【発明の概要】
【０００６】
本発明の実施形態は、ＵＥがＵＥによって送信されるべきアップリンク信号の空間情報を効率的に決定するような信号伝送方法及び装置を提供する。
【０００７】
第１の態様に従って、本発明の実施形態は、信号伝送方法であって、
ユーザ機器によって、第１無線ネットワークデバイスから第１信号を受信することと、
前記ユーザ機器によって、送信されるべき第２信号の空間情報を前記第１信号に基づき決定し、前記空間情報を使用することによって前記送信されるべき第２信号を送信することと
を含む方法を提供する。
【０００８】
任意に、前記ユーザ機器は、第２無線ネットワークデバイスから第１インジケーション情報を受け、ここで、前記第１インジケーション情報は、前記空間情報に対する疑似コロケーション関係が前記第２信号と前記第１信号との間に存在することを示すために使用され、前記第２無線ネットワークデバイスは、前記第１無線ネットワークデバイスと同じであるか又は異なる。
【０００９】
任意に、当該方法は、
前記ユーザ機器によって、第２無線ネットワークデバイスから第２インジケーション情報を受けることを更に含み、ここで、前記第２インジケーション情報は、前記第１信号が前記第２信号の前記空間情報のための基準となることを示すために使用され、前記第２無線ネットワークデバイスは、前記第１無線ネットワークデバイスと同じであるか又は異なる。
【００１０】
任意に、前記ユーザ機器によって、送信されるべき第２信号の空間情報を前記第１信号に基づき決定することは、
前記ユーザ機器によって、前記第１信号が前記第２信号の前記空間情報のための参照信号であると決定することと、
前記ユーザ機器によって、前記送信されるべき第２信号の前記空間情報を前記第１信号に基づき決定することと
を含む。
【００１１】
任意に、前記ユーザ機器によって、前記第１信号が前記第２信号の前記空間情報のための参照信号であると決定することは、前記ユーザ機器によって、前記第１信号が前記第２信号の前記空間情報のための前記参照信号の特徴を有していると決定することを特に含んでよい。
【００１２】
任意に、前記第１信号は１つ以上の信号を含んでよく、前記第２信号又は該第２信号に関連する信号は１つ以上の信号を含んでよい。
【００１３】
第２の態様に従って、本発明の実施形態は、信号伝送方法であって、
第１無線ネットワークデバイスによって、第１信号をユーザ機器へ送信することと、
前記第１無線ネットワークデバイスによって、前記ユーザ機器から第２信号を受信することと
を含み、
前記第１信号は、前記第２信号の空間情報のための基準である、
方法を提供する。
【００１４】
任意に、前記第１無線ネットワークデバイスは、第１インジケーション情報を前記ユーザ機器へ送り、ここで、前記第１インジケーション情報は、前記空間情報に対する疑似コロケーション関係が前記第２信号と前記第１信号との間に存在することを示すために使用される。
【００１５】
任意に、第２無線ネットワークデバイスが、第１インジケーション情報を前記ユーザ機器へ送り、ここで、前記第１インジケーション情報は、前記空間情報に対する疑似コロケーション関係が前記第２信号と前記第１信号との間に存在することを示すために使用される。
【００１６】
任意に、当該方法は、
前記第１無線ネットワークデバイスによって、第２インジケーション情報を前記ユーザ機器へ送り、該第２インジケーション情報は、前記第１信号が前記第２信号の前記空間情報のための前記基準となることを示すために使用される、こと、又は
前記第２無線ネットワークデバイスによって、第２インジケーション情報を前記ユーザ機器へ送り、該第２インジケーション情報は、前記第１信号が前記第２信号の前記空間情報のための前記基準となることを示すために使用される、こと
を更に含む。
【００１７】
任意に、前記第１信号が前記第２信号の空間情報のための基準であることは、
前記第１信号が、前記第２信号の前記空間情報のための参照信号の特徴を有していること
を含む。
【００１８】
第１の態様又は第２の態様を参照して、
任意に、前記第２無線ネットワークデバイスは、前記ユーザ機器にサービングする無線ネットワークデバイスであり、前記第１無線ネットワークデバイスは、前記サービングする無線ネットワークデバイス又は該サービングする無線ネットワークデバイスとは異なる無線ネットワークデバイスである。
【００１９】
任意に、前記第１インジケーション情報が、前記空間情報に対する疑似コロケーション関係が前記第２信号と前記第１信号との間に存在することを示すために使用されることは、
前記第１インジケーション情報が、前記空間情報に対する疑似コロケーション関係が前記第２信号のリソース情報と前記第１信号のリソース情報との間に存在することを示すために使用され、前記リソース情報が、リソース識別子情報、アンテナ・ポート情報、チャネル状態情報測定設定識別子情報、及びプロセス識別子情報のうちの少なくとも１つを含むことを含む。
【００２０】
任意に、前記第１信号は、非ゼロ電力参照信号を含む。例えば、前記第１信号に含まれる前記非ゼロ電力参照信号は、チャネル状態情報を得るために使用される非ゼロ電力参照信号、復調のために使用される非ゼロ電力参照信号、及びビーム管理のために使用される非ゼロ電力参照信号のうちの少なくとも１つである。
【００２１】
任意に、前記第２信号は、参照信号を含む。例えば、前記第２信号に含まれる前記参照信号は、復調のために使用される参照信号及びアップリンクチャネル測定のために使用される参照信号のうちの少なくとも１つである。
【００２２】
任意に、前記第１インジケーション情報は、疑似コロケーション情報を示すために使用されるフィールドに含まれ、あるいは、
前記第１インジケーション情報は、ダウンリンク制御情報に含まれ、該ダウンリンク制御情報は、アップリンクスケジューリング関連情報を示すために使用される情報を更に含み、あるいは、
前記第１インジケーション情報は、アップリンクスケジューリング関連情報を示すために使用されるフィールドに含まれる。
【００２３】
任意に、前記第２インジケーション情報は、前記第１信号のコンフィグレーション情報に含まれる。例えば、前記第１信号の前記コンフィグレーション情報は、前記第１信号のチャネル状態情報測定設定フィールド、前記第１信号のプロセスフィールド、前記第１信号のリソースフィールド、前記第１信号のアンテナ・ポート情報フィールド、及び前記第１信号のビーム情報フィールドのうちの少なくとも１つを含む。
【００２４】
任意に、前記第２インジケーション情報は、数ビットを含み、前記第１信号は、前記数ビットのうちの少なくとも１ビットに対応し、該少なくとも１ビットは、前記第１信号が前記第２信号の前記空間情報のための前記基準となることを示す。この場合に、前記第２インジケーション情報は、前記第１信号の前記チャネル状態情報測定設定フィールド又は前記第１信号の前記プロセスフィールドに含まれ得る。
【００２５】
任意に、前記第２インジケーション情報は、ブール値を含むフィールドであり、あるいは、前記第２インジケーション情報は、前記第１信号が前記第２信号の前記空間情報のための前記基準となることを示すために使用される場合にのみ存在する。この場合に、前記第２インジケーション情報は、前記第１信号の前記リソースフィールド、前記第２信号の前記アンテナ・ポート情報フィールド、及び前記第１信号の前記ビーム情報フィールドのうちの少なくとも１つに含まれ得る。
【００２６】
任意に、前記第２信号の前記空間情報のための前記参照信号の前記特徴は、前記信号のリソース情報を含み、該リソース情報は、アンテナ・ポート情報、リソース識別子情報、チャネル状態情報測定設定識別子情報、及びプロセス識別子情報のうちの少なくとも１つを含み、前記信号は、ダウンリンク制御信号、非ゼロ電力参照信号、及びビーム管理のために使用される信号のうちの少なくとも１つを含む。
【００２７】
任意に、前記第２信号の前記空間情報は、前記第２信号の送信角度を含み、前記第２信号の前記送信角度は、前記第１信号の到来角に基づき決定される。
【００２８】
任意に、当該方法は、
前記端末デバイスによって、送信されるべきアップリンク信号の送信電力を前記第１信号の受信電力に基づき決定することと、
前記端末デバイスによって、前記第２信号及び／又は該第２信号に関連する信号を含む前記アップリンク信号を前記送信電力に基づき送信することと
を更に含み、且つ／あるいは、
前記端末デバイスによって、前記第１信号の受信時間の変化に基づきアップリンク伝送タイミングアドバンスを調整することと、
前記端末デバイスによって、前記第２信号及び／又は該第２信号に関連する信号を含むアップリンク信号を前記調整されたアップリンク伝送タイミングアドバンスに基づき送信することと
を更に含む。
【００２９】
前記第２信号に関連する前記信号は、該信号のアンテナ・ポートと前記第２信号のアンテナ・ポートとの間の非空共通集合を有する信号であってよい。
【００３０】
任意に、前記第１信号は１つ以上の信号を含んでよく、前記第２信号又は該第２信号に関連する前記信号は１つ以上の信号を含んでよい。
【００３１】
第３の態様に従って、信号伝送装置が更に提供され、ここで、当該装置は、ユーザ機器又はユーザ機器内のチップであってよく、プロセッサ、メモリ、及びトランシーバを含み、
前記メモリは、命令を記憶するよう構成され、
前記プロセッサは、前記メモリに記憶されている前記命令を実行し、前記トランシーバを、信号を受信及び送信するように制御するよう構成され、
前記プロセッサが前記メモリに記憶されている前記命令を実行するときに、当該ユーザ機器は、第１の態様で記載された前記ユーザ機器によって使用されるいずれかの方法を実施するよう構成される。
【００３２】
第４の態様に従って、信号伝送装置が更に提供され、ここで、当該装置は、無線ネットワークデバイス又は無線ネットワークデバイス内のチップであってよく、プロセッサ、メモリ、及びトランシーバを含み、
前記メモリは、命令を記憶するよう構成され、
前記プロセッサは、前記メモリに記憶されている前記命令を実行し、前記トランシーバを、信号を受信及び送信するように制御するよう構成され、
前記プロセッサが前記メモリに記憶されている前記命令を実行するときに、当該無線ネットワークデバイスは、第２の態様で記載された前記第１無線ネットワークデバイス又は前記第２無線ネットワークデバイスによって使用されるいずれかの方法を実施するよう構成される。
【００３３】
第５の態様に従って、信号伝送装置が更に提供され、ここで、当該装置は、前述のユーザ機器によって使用されるいずれかの方法を実施するよう構成されるいくつかのモジュールを含む。具体的なモジュールは、各方法のステップに対応してよく、本明細書で再びは記載されない。
【００３４】
第６の態様に従って、信号伝送装置が更に提供され、ここで、当該装置は、前述の第１無線ネットワークデバイス又は第２無線ネットワークデバイスによって使用されるいずれかの方法を実施するよう構成されるいくつかのモジュールを含む。具体的なモジュールは、各方法のステップに対応してよく、本明細書で再びは記載されない。
【００３５】
第７の態様に従って、コンピュータ記憶媒体が更に提供され、いくつかの命令を記憶するよう構成され、該命令が実行されるときに、ユーザ機器又は第１若しくは第２無線ネットワークデバイスによって使用されるいずれかの方法が実施されてよい。
【００３６】
第８の態様に従って、通信システムが更に提供され、ここで、当該システムは、第４の態様によって提供される第１無線ネットワークデバイスを含み、更には、第２の態様で使用される第２無線ネットワークデバイスを含んでよく、更には、第３の態様によって提供されるユーザ機器を含んでよい。
【００３７】
第９の態様に従って、通信装置が更に提供され、ここで、当該装置は、前述の方法の態様における第１若しくは第２無線ネットワークデバイス又はユーザ機器の動作を実施する機能を有し、且つ、前述の方法の態様で記載されたステップ又は機能を実行するよう構成された対応するコンポーネント（手段）を含む。ステップ又は機能は、ソフトウェア又はハードウェアによって実施されるか、あるいは、ハードウェア又はソフトウェアの組み合わせによって実施されてよい。
【００３８】
可能な設計において、前記通信装置は、１つ以上のプロセッサと、トランシーバユニットとを含む。前記１つ以上のプロセッサは、前述の方法における対応する機能を実行すること、例えば、送信されるべき第２信号の空間情報を第１信号に基づき決定することにおいて第１若しくは第２無線ネットワークデバイス又はユーザ機器を支援するよう構成される。前記トランシーバユニットは、他のデバイスと通信し、受信／送信機能を実施すること、例えば、第１信号を受信し且つ第２信号を送信すること、又は第１信号を送信し且つ第２信号を受信することにおいて第１若しくは第２無線ネットワークデバイス又はユーザ機器を支援するよう構成される。
【００３９】
任意に、前記通信装置は、１つ以上のメモリを更に含んでよい。該メモリは、前記プロセッサと結合される。前記メモリは、前記通信装置によって必要とされるプログラム命令及びデータを記憶する。前記１つ以上のメモリは、前記プロセッサと一体化されてよく、あるいは、前記プロセッサとは別個に配置されてよい。これは本願で制限されない。
【００４０】
前記通信装置は、基地局、ＴＲＰ、又はユーザ機器（あるいは、端末デバイスであってよい。）であってよい。前記トランシーバユニットは、トランシーバ、又はトランシーバ回路であってよい。
【００４１】
前記通信装置はまた、通信チップであってもよい。前記トランシーバユニットは、前記通信チップの入出力回路又はインターフェイスであってよい。
【００４２】
本発明の実施形態によって提供される方法、装置、及びシステムに従って、アップリンク送信ビームは、ダウンリンク受信ビームの関連情報を使用することによって決定され、それにより、ＵＥは、ユーザによって送信されるべきアップリンク信号の空間情報を効率的に決定することができる。
【００４３】
理解の容易のために、本願の関連する概念のいくつかの記載が、以下で示されるように、例を使用することによって参考のために与えられる。
【００４４】
第３世代パートナーシップ・プロジェクト（英語：3rd  Generation  Partnership  Project，略して３ＧＰＰ）は、無線通信ネットワークを開発することのために設けられたプロジェクトである。通常、３ＧＰＰに関連した組織は、３ＧＰＰ機関と呼ばれる。
【００４５】
無線通信ネットワークは、無線通信機能を提供するネットワークである。無線通信ネットワークは、種々の通信テクノロジ、例えば、符号分割多重アクセス（英語：code  division  multiple  access，略してＣＤＭＡ）、広帯域符号分割多重アクセス（wideband  code  division  multiple  access，略してＷＣＤＭＡ）、時分割多重アクセス（英語：time  division  multiple  access，略してＴＤＭＡ）、周波数分割多重アクセス（英語：frequency  division  multiple  access，略してＦＤＭＡ）、直交周波数分割多重アクセス（英語：orthogonal  frequency-division  multiple  access，略してＯＦＤＭＡ）、シングルキャリア周波数分割多重アクセス（英語：single  Carrier  FDMA，略してＳＣ−ＦＤＭＡ）、及び衝突回避付きキャリア感知多重アクセス（英語：Carrier  Sense  Multiple  Access  with  Collision  Avoidance）を使用してよい。異なるネットワークの容量、レート、又は遅延といった因子に基づき、ネットワークは、２Ｇ（英語：generation）ネットワーク、３Ｇネットワーク、４Ｇネットワーク、又は５Ｇネットワークのような将来の進化したネットワークに分類されてよい。典型的な２Ｇネットワークは、グローバル・システム・フォー・モバイル・コミュニケーションズ（英語：global  system  for  mobile  communications/general  packet  radio  service，略してＧＳＭ）ネットワーク又は汎用パケット無線サービス（英語：general  packet  radio  service，略してＧＰＲＳ）ネットワークを含む。典型的な３Ｇネットワークは、ユニバーサル・モバイル・テレコミュニケーションズ・システム（英語：universal  mobile  telecommunications  system，略してＵＭＴＳ）ネットワークを含む。典型的な４Ｇネットワークは、ロング・ターム・エボリューション（英語：long  term  evolution，略してＬＴＥ）ネットワークを含む。時々、ＵＭＴＳネットワークは、ユニバーサル地上無線アクセス・ネットワーク（英語：universal  terrestrial  radio  access  network，ＵＴＲＡＮ）とも呼ばれ得る。時々、ＬＴＥネットワークは、進化型ユニバーサル地上アクセス・ネットワーク（英語：evolved  universal  terrestrial  radio  access  network，略してＥ−ＵＴＲＡＮ）とも呼ばれる。異なるリソース割り当てモードに基づき、ネットワークは、セルラー通信ネットワーク及び無線ローカル・エリア・ネットワーク（英語：wireless  local  area  networks，略してＷＬＡＮ）に分類されてよく、ここで、セルラー通信ネットワークは、スケジューリングによって支配され、ＷＬＡＮは、コンテンションによって支配される。前述の２Ｇ、３Ｇ、及び４Ｇネットワークは全て、セルラー通信ネットワークである。当業者は、本発明の実施形態によって提供される技術的解決法が、４Ｇの後の無線通信ネットワーク、例えば、４．５Ｇ若しくは５Ｇネットワーク、又は他の非セルラー通信ネットワークに主として適用され得ることを知っておくべきである。簡潔さのために、時々、無線通信ネットワークは、本発明の実施形態で略してネットワークと呼ばれることがある。
【００４６】
セルラー通信ネットワークは、無線通信ネットワークの１つである。セルラー通信ネットワークは、無線チャネルを使用することによって端末デバイスをネットワークデバイスへ接続するためにセルラー無線ネットワーキングモードを使用し、更には、活動中のユーザ間の相互通信を実施する。セルラー通信ネットワークの主な特徴は、端末が移動性を有し、セル間ハンドオーバ及びローカル・ネットワーク間の自動ローミングの機能を有することである。
【００４７】
ＦＤＤ：周波数分割複信，frequency  division  duplex
【００４８】
ＴＤＤ：時分割複信，time  division  duplex
【００４９】
ユーザ機器（英語：user  equipment，略してＵＥ）は端末デバイスであり、移動性端末デバイスであってよく、又は非移動性端末デバイスであってよい。デバイスは、サービスデータを受信又は送信するよう主に構成される。ユーザ機器は、ネットワーク内に分布し得る。ユーザ機器は、異なるネットワーク内で異なる名称、例えば、端末、移動局、加入者ユニット、局、携帯電話機、パーソナル・デジタル・アシスタント、無線モデム、無線通信デバイス、携帯機器、ラップトップ・コンピュータ、コードレス電話機、無線ローカルループ局、車載端末、無人空中輸送手段、スマート家電、及びインターネット・オブ・シング機器を有する。ユーザ機器は、無線アクセス・ネットワーク（radio  access  network，略してＲＡＮ）（無線通信ネットワークのアクセス部分）を通じて１つ以上のコア・ネットワークと通信し、例えば、音声及び／又はデータを無線アクセス・ネットワークと交換してよい。
【００５０】
基地局（base  station，ＢＳ）デバイスは、基地局とも呼ばれ、無線アクセス・ネットワーク内に配置され、無線通信機能を提供するよう構成される装置である。例えば、２Ｇネットワークでは、基地局機能を提供するデバイスは、ベース無線トランシーバ局（base  transceiver  station，略してＢＴＳ）及び基地局コントローラ（base  station  controller，略してＢＳＣ）を含み、３Ｇネットワークでは、基地局機能を提供するデバイスは、ノードＢ（Node  B）及び無線ネットワーク・コントローラ（radio  network  controller，略してＲＮＣ）を含み、４Ｇネットワークでは、基地局機能を提供するデバイスは、進化型ノードＢ（evolved  Node  B，略してｅＮＢ）を含み、ＷＬＡＮでは、基地局機能を提供するデバイスは、アクセス・ポイント（access  point，略してＡＰ）である。将来の５Ｇニュー・ラジオ（New  Radio，略してＮＲ）において基地局機能を提供するデバイスは、更なる進化型ノードＢ（ｇＮＢ）、送受信点（transmission  and  reception  point，ＴＲＰ）、送信点（transmission  point，ＴＰ）、中継局（relay）、などを含む。ノードＢ、ＴＲＰ、及びＴＰは、ベースバンド処理部及び無線周波数部を含む装置であってよい。ＴＲＰ及びＴＰは、無線ユニット（radio  unit，ＲＵ）又は遠隔無線ユニット（remote  radio  unit，ＲＲＵ）であってよい。ＴＲＰは、ＮＧにおける一般名称であり、ＴＰは、ＬＴＥシステムにおける一般名称である。
【００５１】
無線デバイスは、無線通信ネットワーク内に位置し、無線モードで通信することができるデバイスである。デバイスは、無線ネットワークデバイス、例えば、基地局であってよく、あるいは、ユーザ機器であってよく、あるいは、他のネットワーク要素であってよい。
【００５２】
ネットワーク側デバイスは、無線通信ネットワーク内に位置し且つネットワーク側にあるデバイスであり、アクセス・ネットワークのネットワーク要素、例えば、基地局又はコントローラ（利用可能な場合）であってよく、あるいは、コア・ネットワークのネットワーク要素であってよく、あるいは、他のネットワーク要素であってよい。
【００５３】
ＮＲ（ニュー・ラジオ，new  radio）は、新世代の無線アクセス・ネットワークテクノロジであり、５Ｇネットワークのような将来の進化したネットワークに適用され得る。
【００５４】
無線ローカル・エリア・ネットワーク（wireless  local  area  network，略してＷＬＡＮ）は、データ伝送媒体として電波を使用するローカル・エリア・ネットワークであり、このとき、伝送距離は、一般に、数十メートルである。
【００５５】
アクセス・ポイント（access  point，略してＡＰ）は、無線ネットワークへ接続されるか、あるいは、有線ネットワーク内のデバイスへ接続されてよい。ＡＰは、中間点として働くことができ、それにより、有線又は無線モードでオンライン化するデバイスは相互接続され、互いへデータを送ることができる。
【００５６】
ＲＲＣ（radio  resource  control）：無線リソース制御
【００５７】
ＲＲＣは、ＵＥとネットワーク側デバイスとの間の制御プレーンのレイヤ３情報を処理し、通常は、次の機能の中の少なくとも１つを含む：
コア・ネットワークの非アクセス階層によって供給される情報をブロードキャストすること。ここで、ＲＲＣは、ネットワーク・システム情報をＵＥへブロードキャストすることに関与し、システム情報は、通常は、基本ルールに従って繰り返され、ＲＲＣは、プランニング、セグメンテーション、及び繰り返しを実行することに関与し、上位層情報のブロードキャスティングも支援する；
ブロードキャスト情報をアクセス階層に関連付けること。ここで、ＲＲＣは、ネットワーク・システム情報をＵＥへブロードキャストすることに関与し、システム情報は、通常は、基本ルールに従って繰り返され、ＲＲＣは、プランニング、セグメンテーション、及び繰り返しを実行することに関与する；及び
ＵＥとネットワーク側デバイスとの間のＲＲＣ接続を確立、再確立、維持、及び解放すること。ここで、ＵＥの第１信号接続を確立するよう、ＵＥの上位層がＲＲＣ接続を確立することを要求し、ＲＲＣ接続確立プロセスは、利用可能なセルを選択し直すステップと、アクセス許可を制御するステップと、レイヤ２信号リンクを確立するステップとを含み、ＲＲＣ接続解放も上位層によって要求され、最後の信号接続を解体するために使用され、あるいは、ＲＲＣリンクが機能しなくなるときにＲＲＣレイヤによって開始され、接続が機能しなくなる場合に、ＵＥは、ＲＲＣ接続を再確立することを要求し、あるいは、ＲＲＣ接続が機能しなくなる場合に、ＲＲＣは、割り当てられたリソースを解放する。
【００５８】
ＲＲＣに関する上記の説明は、例にすぎず、ネットワーク進化とともに変化し得る。
【図面の簡単な説明】
【００５９】
【図１】通信システム（基地局及びＵＥのみが示される。）の概略図である。
【図２】本発明の実施形態で記載される基地局及びＵＥの内部構造の簡略化された概略図である。
【図３ａ】本発明の実施形態で記載される送信角度及び受信角度の概略図である。
【図３ｂ】本発明の実施形態で記載される送信角度及び受信角度の概略図である。
【図４】本発明の実施形態に従うＤＰＳシナリオの概略図である。
【図５ａ】本発明の実施形態に従う信号伝送方法の略フローチャートである。
【図５ｂ】本発明の実施形態に従う信号伝送方法の略フローチャートである。
【図５ｃ】本発明の実施形態に従う信号伝送方法の略フローチャートである。
【図５ｄ】本発明の実施形態に従う信号伝送方法の略フローチャートである。
【図６】本発明の実施形態に従う信号伝送装置（例えば、無線ネットワークデバイス）の概略図である。
【図７】本発明の実施形態に従う他の信号伝送装置（例えば、ユーザ機器）の概略図である。
【発明を実施するための形態】
【００６０】
以下は、本発明の実施形態における添付の図面を参照して、本発明の実施形態における技術的解決法について記載する。明らかに、記載される実施形態は、本願の全ての実施形態ではなく一部に過ぎない。創造的な努力なしで本願の実施形態に基づき当業者が得る全ての他の実施形態は、本願の保護範囲内にあるべきである。
【００６１】
本願で使用される「コンポーネント」、「モジュール」、及び「システム」のような語は、コンピュータ関連エンティティを示すために使用される。コンピュータ関連エンティティは、ハードウェア、ファームウェア、ハードウェア及びソフトウェアの組み合わせ、ソフトウェア、又は実行中のソフトウェアであってよい。例えば、コンポーネントは、制限なしに、プロセッサで実行されるプロセス、プロセッサ、オブジェクト、実行可能ファイル、実行のスレッド、プログラム、及び／又はコンピュータであってよい。一例として、コンピュータ装置及びコンピュータ装置で実行されるアプリケーションは両方ともコンポーネントであってよい。１つ以上のコンポーネントが、プロセス及び／又は実行のスレッドの中に存在してよく、コンポーネントは、１つのコンピュータに配置され、且つ／あるいは、２つ以上のコンピュータの間で分布してよい。その上、これらのコンポーネントは、様々なデータ構造を有する様々なコンピュータ可読媒体から実行されてよい。これらのコンポーネントは、ローカル及び／又は遠隔のプロセスを使用することによって、且つ、例えば、１つ以上のデータパケット（例えば、１つのコンポーネントからのデータ、このとき、コンポーネントはローカルシステム又は分散型システム内の他のコンポーネントと相互作用し、且つ／あるいは、信号を使用することによって、例えば、インターネットのようなネットワークを介して、他のシステムと相互作用する。）に従って、通信してよい。
【００６２】
その上、夫々の態様は、本願では無線デバイスを参照して記載される。無線デバイスは、無線ネットワークデバイスであってよく、あるいは、端末デバイスであってよい。無線ネットワークデバイスは基地局であってよい。基地局は、１つ以上のユーザ機器と通信するよう構成されてよく、あるいは、ユーザ機器機能を有する１つ以上の基地局と通信するよう構成されてよい（例えば、アクセス・ポイントのような、ミクロ基地局とマクロ基地局との間の通信）。無線デバイスはまた、ユーザ機器であってもよく、ユーザ機器は、１つ以上のユーザ機器と通信するよう構成されてよく（例えば、Ｄ２Ｄ通信）、あるいは、１つ以上の基地局と通信するよう構成されてよい。ユーザ機器はまた、ユーザ端末と呼ばれることもあり、システム、加入者ユニット、加入者局、移動局、移動無線端末、モバイル機器、ノード、デバイス、遠隔局、遠隔端末、端末、無線通信デバイス、無線通信装置、又はユーザエージェントの機能の一部又は全てを含んでよい。ユーザ機器は、携帯電話機、コードレス電話機、セッション開始プロトコル（ＳＩＰ）電話機、スマートフォン、無線ローカルループ（ＷＬＬ）局、パーソナル・デジタル・アシスタント（ＰＤＡ）、ラップトップ・コンピュータ、携帯型通信デバイス、携帯型コンピュータ装置、衛星無線デバイス、無線モデムカード、車載デバイス、スマート家電、無人空中輸送手段、インターネット・オブ・シングデバイス、及び／又は無線システムで通信を行うよう構成された他の処理デバイスであってよい。基地局はまた、アクセス・ポイント、ノード、ノードＢ、進化型ノードＢ（ｅＮＢ）、ＴＲＰ、ＴＰ、ｇＮＢ、又は他のネットワーク・エンティティと呼ばれることもあり、上記のネットワーク・エンティティの機能の一部又は全てを含んでよい。基地局は、エア・インターフェイスを通じて無線端末と通信してよい。通信は、１つ以上のセクタを使用することによって実行されてよい。受け取られたエア・インターフェイス・フレームをＩＰパケットに変換することによって、基地局は、無線端末とアクセス・ネットワークの他の部分との間のルータとして使用されてよく、ここで、アクセス・ネットワークは、インターネット・プロトコル（ＩＰ）ネットワークを含む。基地局は更に、インターフェイス属性の管理を統合してよく、更には、有線ネットワークと無線ネットワークとの間のゲートウェイとして働いてよい。例えば、基地局は、進化型ノードＢ（evolved  NodeB，ｅＮＢ）、無線ネットワーク・コントローラ（radio  network  controller，ＲＮＣ）、ノードＢ（NodeB，ＮＢ）、基地局コントローラ（base  station  controller，ＢＳＣ）、ベーストランシーバ局（base  transceiver  station，ＢＴＳ）、ホーム・ノードＢ（例えば、home  evolved  NodeB、又はhome  NodeB，ＨＮＢ）、ベースバンド・ユニット（baseband  unit，ＢＢＵ）、ワイヤレス・フィデリティ（Wireless  Fidelity，ＷｉＦｉ）システム内のアクセス・ポイント（access  point，ＡＰ）、無線中継ノード、無線バックホールノード、送信点（transmission  and  reception  point，ＴＲＰ、又はtransmission  point，ＴＰ）、などであってよく、あるいは、ＮＲのような５Ｇシステム内のｇＮＢ若しくは送信点（ＴＲＰ若しくはＴＰ）、又は５Ｇシステム内の基��局のアンテナ・パネル若しくはアンテナ・パネルのグループ（複数のアンテナ・パネルを含む。）であってよく、あるいは、ベースバンド・ユニット（ＢＢＵ）又は分散ユニット（ＤＵ，distributed  unit）のような、ｇＮＢ又は送信点を形成するネットワーク・ノードであってよい。いくつかの配置において、ｇＮＢは、集中型ユニット（centralized  unit，ＣＵ）及びＤＵを含んでよい。ｇＮＢは、無線ユニット（radio  unit，ＲＵ）を更に含んでよい。ＣＵは、ｇＮＢのいくつかの機能を実装し、ＤＵは、ｇＮＢのいくつの機能を実装する。例えば、ＣＵは、無線リソース制御（radio  resource  control，ＲＲＣ）及びパケット・データ・コンバージェンス・プロトコル（Packet  Data  Convergence  Protocol，ＰＤＣＰ）レイヤの機能を実装し、ＤＵは、無線リンク制御（radio  link  control，ＲＬＣ）、媒体アクセス制御（Media  Access  Control，ＭＡＣ）、及び物理（physical，ＰＨＹ）レイヤの機能を実装する。ＲＲＣレイヤ情報は、最終的にＰＨＹレイヤ情報に変更されるか、あるいは、ＰＨＹレイヤ情報から変更されるので、このアーキテクチャでは、ＲＲＣレイヤシグナリング又はＰＨＣＰレイヤシグナリングのような上位層シグナリングがＤＵによって送信されるか、あるいは、ＤＵ及びＲＵによって送信されることも考えられ得る。ネットワークデバイスはＣＵノード、又はＤＵノード、又はＣＵノード及びＤＵノードを含むデバイスであってよいと理解され得る。その上、ＣＵは、無線アクセス・ネットワークＲＡＮ内のネットワークデバイスとして分類されてよく、あるいは、ＣＵは、コア・ネットワークＣＮ内のネットワークデバイスとして分類されてよい。これは、ここで制限されない。
【００６３】
本発明の実施形態では、ＴＲＰ及びＴＲＰとＵＥとの間の通信が、説明のための例として使用される。本発明の実施形態によって提供される技術的解決法は、ＵＥ間の通信（例えば、デバイス・ツー・デバイス，device  to  device，Ｄ２Ｄ通信シナリオ）にも適用されてよく、あるいは、基地局（例えば、マクロ基地局及びミクロ基地局）の間の通信に適用されてよく、あるいは、ＴＲＰ以外のネットワークデバイスに適用されてよいことが理解され得る。
【００６４】
全ての態様、実施形態、又は特徴は、複数のデバイス、コンポーネント、モジュール、などを含み得るシステムについて記載することによって本願で提示される。夫々のシステムは、他のデバイス、コンポーネント、モジュール、などを含んでよく、且つ／あるいは、添付の図面を参照して議論される全てのデバイス、コンポーネント、モジュール、などを含まなくてもよいことが認識及び理解されるべきである。その上、これらの解決法の組み合わせが使用されてよい。
【００６５】
その上、本発明の実施形態における語「例」は、例、実例、又は説明を与えることを表すために使用される。本願で「例」として記載される如何なる実施形態又は設計スキームも、他の実施形態又は設計スキームよりも好ましいもの又はそれよりも多くの利点を有するものとして説明されるべきではない。まさに、「例えば」は、具体的に概念を提示するために使用される。
【００６６】
本発明の実施形態で、情報（information）、信号（signal）、メッセージ（message）、及びチャネル（channel）は、時々同義的に使用されることがある。表現される意味は、違いが強調されない場合に一致することが留意されるべきである。「〜の（of）」、「相当する（corresponding，relevant）」、及び「対応する（corresponding）」は、時々同義的に使用されることがある。表現される意味は、違いが強調されない場合に一致することが留意されるべきである。
【００６７】
本発明の実施形態で、Ｗ１のような下付き文字は、時々、Ｗ１のような非下付き文字形式で誤って記載されることがあり、表現される意味は、違いが強調されない場合に一致する。
【００６８】
本発明の実施形態で記載されるネットワークアーキテクチャ及びサービスシナリオは、本発明の実施形態における技術的解決法をより明りょうに記載するよう意図され、本発明の実施形態によって提供される技術的解決法に対する如何なる制限も構成しない。当業者は、ネットワークアーキテクチャの進化及び新しいサービスシナリオの出現により、本発明の実施形態によって提供される技術的解決法が同様の技術的問題にも適用可能であると知り得る。
【００６９】
本発明の実施形態は、時分割複信（time  division  duplex，ＴＤＤ）シナリオ及び周波数分割複信（frequency  division  duplex，ＦＤＤ）シナリオの両方に適用されてよい。
【００７０】
本発明の実施形態は、いくつかの既存の通信シナリオに加えて、ＵＥ中心の通信シナリオに更に適用されてよい。
【００７１】
任意に、将来のＵＥ中心（UE-centric）ネットワークにおいて、非セル（Non-cell）ネットワークアーキテクチャが導入される。具体的に、大量の小セルが、スーパーセル（Hyper  cell）を形成するよう特定のエリアに配置され、ここで、夫々の小セルは、ハイパーセルの送信点（Transmission  Point，ＴＰ）又はＴＲＰであり、集中型コントローラ（controller）へ接続される。
【００７２】
任意に、ＵＥ中心システムにおいて、ＵＥは、アップリンク測定参照信号を周期的に送信してよい。ＵＥによって送信された参照信号を受信した後、ネットワーク側デバイスは、ＵＥにサービングするようＵＥのための最適なＴＰ及び／又はＴＲＰセット（サブクラスタ、sub-cluster）を選択してよい。ＵＥがハイパーセル内を動くとき、ネットワーク側デバイスは常に、実際のセルハンドオーバを回避し且つＵＥのサービス連続性を実施するために、ＵＥにサービングするようＵＥのための新しいサブクラスタを選択する。ネットワーク側デバイスは、無線ネットワークデバイスを含む。
【００７３】
本発明の実施形態におけるいくつかのシナリオは、一例として無線通信ネットワーク内の４Ｇネットワークシナリオを使用することによって、記載される。本発明の実施形態における解決法は、他の無線通信ネットワークに更に適用されてよく、対応する名称はまた、他の無線通信ネットワーク内の対応する機能の名称により置き換えられてよいことが留意されるべきである。
【００７４】
図１は、通信システムの概略構造図である。通信システムは、コア・ネットワーク、アクセス・ネットワーク、及び端末を含んでよい。図１は、基地局、端末、及びユーザ機器のような、アクセス・ネットワークに含まれる無線ネットワークデバイスしか示さない。
【００７５】
図２は、基地局及びＵＥの内部構造の簡略化された概略図である。
【００７６】
一例として使用される基地局は、アンテナ・アレイ、デュプレクサ、送信器（ＴＸ）及び受信器（ＲＸ）（ＴＸ及びＲＸは、時々、集合的に、トランシーバＴＲＸと呼ばれる。）、並びにベースバンド処理部を含んでよい。デュプレクサは、信号を送信し且つ信号を受信するためのアンテナ・アレイの使用を実施するよう構成される。ＴＸは、無線周波数信号とベースバンド信号との間の変換を実施するよう構成される。通常、ＴＸは、電力増幅器ＰＡ、デジタル−アナログ変換器ＤＡＣ及び周波数変換器を含んでよい。通常、ＲＸは、低雑音増幅器ＬＮＡ、アナログ−デジタル変換器ＡＤＣ、及び周波数変換器を含んでよい。ベースバンド処理部は、送信又は受信される信号の処理、例えば、レイヤ・マッピング、プリコーディング、変調／復調、及び符号化／復号化を実施し、物理制御チャネル、物理データチャネル、物理ブロードキャストチャネル、参照信号、などに対する別個の処理を実行するよう構成される。
【００７７】
例において、基地局は、マルチユーザ・スケジューリング及びリソース割り当て、パイロット・スケジューリング、ＵＥのための物理レイヤパラメータ設定、などを実行するよう構成された制御部を更に含んでよい。
【００７８】
一例として使用されるＵＥは、アンテナ、デュプレクサ、送信器（ＴＸ）及び受信器（ＲＸ）（ＴＸ及びＲＸは、時々、集合的に、トランシーバＴＲＸと呼ばれる。）、並びにベースバンド処理部を含んでよい。図２において、ＵＥは単一のアンテナを有する。ＵＥは、複数のアンテナ（具体的に、アンテナ・アレイ）を有してもよいことが理解され得る。
【００７９】
デュプレクサは、信号を送信し且つ信号を受信するためのアンテナ・アレイの使用を実施するよう構成される。ＴＸは、無線周波数信号とベースバンド信号との間の変換を実施するよう構成される。通常、ＴＸは、電力増幅器ＰＡ、デジタル−アナログ変換器ＤＡＣ及び周波数変換器を含んでよい。通常、ＲＸは、低雑音増幅器ＬＮＡ、アナログ−デジタル変換器ＡＤＣ、及び周波数変換器を含んでよい。ベースバンド処理部は、送信又は受信される信号の処理、例えば、レイヤ・マッピング、プリコーディング、変調／復調、及び符号化／復号化を実施し、物理制御チャネル、物理データチャネル、物理ブロードキャストチャネル、参照信号、などに対する別個の処理を実行するよう構成される。
【００８０】
例において、ＵＥは、アップリンク物理リソースを要求し、ダウンリンクチャネルに対応するチャネル状態情報（ＣＳＩ）を計算し、ダウンリンクデータパケットの受信に成功したかどうかを判定する、などのように構成された制御部を含んでもよい。
【００８１】
現在の５Ｇ研究では、ＴＲＰ側及びＵＥ型でのビーム・アライメントは重要な問題である。
【００８２】
ビームは、送信及び／又は受信される信号のエネルギの指向性がアンテナ・ポートの重みを調整することによって達成される（すなわち、エネルギがある方向において蓄積される）ことを意味し、蓄積がビームと呼ばれる。送信される信号に対応するビームは、送信ビームであり、受信される信号に対応するビームは、受信ビームである。送信ビーム及び受信ビームは、ビーム対と呼ばれることがある。
【００８３】
ＮＲについての議論の過程から学習されるように、ＮＲにおけるビームは、ＴＲＰ側のビームと、ＵＥ側のビームとに分類される。ＴＲＰ及びＵＥの両方が、ベースバンド・プリコーディングを実行することによってデジタルビームを形成し、且つ、無線周波数に対して夫々位相シフタを使用することによってアナログビームを形成し得る。マッシブＭＩＭＯテクノロジがＮＲにおいて適用されてよく、多数のアンテナが、形成されるビームを非常に狭く且つ非常に高い分解能を有するものとし得る。従って、ビームの指向性はより明白である。従って、送信ビーム及び受信ビームのアライメント（略してビーム・アライメント）に対して要件が課される。
【００８４】
ビーム・アライメントに関する目下の議論は、ダウンリンクに主として焦点を当てる。一般に、いくつかのビーム対がビーム掃引によって得られる。ダウンリンクビーム掃引は次の通りであってよい：ＴＲＰは、複数のダウンリンクビーム（ダウンリンク送信ビームとも呼ばれる。）を形成及び送信する。ＵＥは、複数のダウンリンクビームを受信し、そして、ＵＥによって複数のダウンリンクビームを受信する過程で、ＵＥは、位相シフタの位相シフトによって、及び／又はベースバンドにおけるアンテナ・ポートの重みを調整することによって、複数のダウンリンク受信ビーム（ダウンリンクビームとも呼ばれる。）を形成し得る。このようにして、最適なダウンリンクビーム対が、複数のダウンリンク送信ビーム及び複数のダウンリンク受信ビームを掃引及び測定することによって決定され、ここで、ダウンリンクビーム対は、ダウンリンク送信ビーム（ＴＲＰ側）及びダウンリンク受信ビーム（ＵＥ側）の対を含む。更に、ダウンリンク送信ビーム及びダウンリンク受信ビームが決定される。
【００８５】
同様に、ＵＥは、複数のアップリンクビーム（アップリンク送信ビームとも呼ばれる。）を送信する。ＴＲＰは、複数のアップリンクビームを受信し、そして、ＴＲＰによって複数のアップリンクビームを受信する過程で、ＴＲＰは、位相シフタの位相シフト及び／又はベースバンドにおけるアンテナ・ポートの重みを調整することによって、複数のアップリンク受信ビームを形成し得る。このようにして、最適なアップリンクビーム対が、複数のアップリンク送信ビーム（アップリンクビームとも呼ばれる。）及び複数のアップリンク受信ビーム（アップリンクビームとも呼ばれる。）を掃引及び測定することによって決定され得、ここで、アップリンクビーム対は、アップリンク送信ビーム（ＵＥ側）及びアップリンク受信ビーム（ＴＲＰ側）の対を含む。
【００８６】
しかし、アップリンクビーム対を決定するこの方法において、掃引及び測定は、複数回ＵＥとＴＲＰとの間で実行される必要がある。本願では、アップリンク送信ビームを決定する方法が提供される。具体的に、ビームの空間的な相互関係を使用することによって、アップリンク送信ビームの送信角度（angle  of  departure，ＡｏＤ）がダウンリンク受信ビームの到来角（angle  of  arrival，ＡｏＡ）に基づき推測され得ると定義される。すなわち、アップリンク送信ビームの送信角度は、ダウンリンク受信ビームの到来角に基づき決定され得、具体的には、アップリンク送信ビームの送信角度とダウンリンク受信ビームの到来角との間の関係に基づき決定され得る。例えば、関係は、アップリンク送信ビームの送信角度がダウンリンク受信ビームの到来角と同じであることであってよい。関係については、他の場合も存在し得ることが理解され得る。例えば、関係は、プロトコルによって前もって指定され、ＵＥ側で事前に記憶されてよく、あるいは、ＴＲＰによって設定されてよい。これは、ここで制限されない。従って、ＵＥは、ダウンリンク受信ビームを決定した後に、対応するアップリンク送信ビームを決定することができる。図３ａ及び図３ｂは、送信角度及び到来角の概略図である。到来角（ＡｏＡ，angle  of  arrival）は、信号の到来方向とある方向（例えば、水平方向）との間の夾角である。送信角度はまた、発射角（ＡｏＤ，angle  of  departure）とも呼ばれ、信号の発射角とある方向（例えば、水平方向）との間の夾角である。複数の経路がある場合に、ＵＥによってＡｏＡ／ＡｏＤを具体的に測定及び推定するためのアルゴリズムを参照されたい。詳細については、ここでは記載されない。図３ａ及び図３ｂは、一例として、複数の経路の中の最も強い経路を示す。
【００８７】
その上、ＴＲＰ側のアップリンク受信ビームの到来角はまた、ＴＲＰ側のダウンリンク送信ビームの送信角度にも関係があり得る。具体的に、ＴＲＰ側のアップリンク受信ビームの到来角はまた、ＴＲＰ側のダウンリンク送信ビームの送信角度に基づき決定され得、特に、ＴＲＰ側のアップリンク受信ビームの到来角とＴＲＰ側のダウンリンク送信ビームの送信角度との間の関係に基づき決定され得る。例えば、関係は、ダウンリンク送信ビームの送信角度がアップリンク受信ビームの到来角と同じであることであってよい。関係については、他の場合も存在してよいことが理解され得る。例えば、関係は、プロトコルによって前もって指定され、ＴＲＰ側で事前に記録されてよく、あるいは、ＴＲＰによって設定されてよい。これは、ここで制限されない。
【００８８】
従って、アップリンク送信ビームの送信角度及びアップリンク受信ビームの到来角は、比較的に簡単な方法で決定され得る。
【００８９】
しかし、ＮＲ通信では、ＵＥが複数のダウンリンクビームを受信する場合が存在する可能性がある。この場合に、ＵＥは、複数のダウンリンク受信ビームの到来角を有する。特定のダウンリンク受信ビームの到来角を参照することによってＵＥがダウンリンク送信ビームの送信角度を決定する方法、又は掃引及び測定によって取得されるアップリンク送信ビームの１つを選択するとＵＥが決定する方法は、更に議論される必要がある。例えば、ＵＥが複数のダウンリンクビームを受信するシナリオは、単一の基地局のＭＩＭＯ適用、あるいは、ジョイント・トランスミッション（Joint  transmission，ＪＴ）若しくはダイナミック・ポイント・セレクション（dynamic  point  selection，ＤＰＳ）といったＣｏＭＰシナリオ、又はマルチパネル通信シナリオ、などのようないくつかの通信シナリオを含む。図４は、ＤＰＳシナリオの概略図である。このシナリオでは、ＵＥは、物理ダウンリンク共有チャネルＰＤＳＣＨ上の信号のような、ただ１つのＴＲＰからのダウンリンクデータを一度に受信する。具体的に、ＵＥは、複数のＴＲＰからビームを動的に受信する。しかし、ＵＥは、協調するセルへアップリンクチャネル状態情報を送るのではなく、サービングセルとの通信を保つようサービングセルへアップリンクチャネル状態情報をフィードバックすべきである。従って、ＵＥが送信されているダウンリンクデータのビーム方向に基づきアップリンク伝送方向を決定する場合に、アップリンクチャネル状態情報を受信する必要があるサービングセルが信号を受信することができないという問題が起こる可能性がある。従って、このシナリオでは、アップリンク送信ビームの利得の喪失、又は通信中断の問題を回避すべく、アップリンク伝送で参照されるべきダウンリンクリソースがＵＥに示される必要がある。
【００９０】
可能な方法において、ＵＥ及びＴＲＰは、アップリンクビームを掃引及び測定することによって複数のアップリンクビーム対を形成する。ＴＲＰは、ＵＥによって送信されるべきアップリンク信号のリソース情報、例えば、参照信号のアンテナ・ポート番号、及び／又はＴＲＰによって受信されるべきアップリンク信号のアップリンク受信ビームのリソース情報を配信する。このように、ＵＥは、情報に基づき、ＵＥによって送信されるべきアップリンク信号に対応するアップリンク送信ビームを決定することができ、且つ／あるいは、ＴＲＰは、情報に基づき、ＴＲＰによって受信されるべきアップリンク信号に対応するアップリンク受信ビームを決定することができる。
【００９１】
本発明の実施形態は、他の可能な方法を提供する。ＵＥは、ＴＲＰから受信されたダウンリンク信号に基づき、ＵＥによって送信されるべきアップリンク信号に対応するアップリンク送信ビームを決定する。
【００９２】
本発明のこの実施形態によって提供される方法は、ＴＲＰ及びＵＥがダウンリンクビーム対を有し、掃引又は測定を実行することによってアップリンクビーム対を取得しない場合にのみならず、ＴＲＰ及びＵＥがダウンリンクビーム対を有し、掃引又は測定を実行することによってアップリンクビーム対を取得する場合にも適用され得る。
【００９３】
図５ａに示される可能な解決法は、次のステップを含む。
【００９４】
Ｓ１．ユーザ機器は、第１無線ネットワークデバイスから第１信号を受信する。
【００９５】
Ｓ２．ユーザ機器は、送信されるべき第２信号の空間情報を第１信号に基づき決定し、空間情報を使用することによってその送信されるべき第２信号を送信する。
【００９６】
任意に、第２信号の空間情報は、第２信号の送信角度（発射角）を含み、第２信号の送信角度は、第１信号の到来角に基づき決定される。
【００９７】
第２信号の送信角度が第１信号の到来角に基づき決定されることは、
第２信号の送信角度が第１信号の到来角と同じであること、又は
第２信号の送信角度と第１信号の到来角との間に対応が存在すること、又は
アップリンクビームの送信角度が、第２信号の送信角度として、第１信号の到来角に基づき、既存のアップリンクビーム対から選択されること
を含み得ることが理解され得る。例えば、第１信号の到来角に最も近いアップリンクビームの送信角度が、第２信号の送信角度として選択される。
【００９８】
任意に、図５ｂ、図５ｃ、及び図５ｄのうち任意の１つに示される実施が利用可能であり、以降で詳細に記載される。
【００９９】
図５ｂに示される実施は、次のステップを含む。
【０１００】
Ｓ１０１．第２無線ネットワークデバイスは、第１インジケーション情報をユーザ機器へ送信し、相応して、ユーザ機器は、第１インジケーション情報を第２無線ネットワークデバイスから受信し、ここで、第１インジケーション情報は、空間情報に対する疑似コロケーション関係が第２信号と第１信号との間に存在することを示すために使用される。
【０１０１】
空間情報に対する疑似コロケーション関係が第２信号と第１信号との間に存在することは、
第２信号の空間情報が第１信号の空間情報から推測され得ることを意味してよく、ここで、空間情報は、受信到来角（Angle  of  arrival，ＡｏＡ，到来角又は受信角度とも呼ばれる。）、送信発射角（Angle  of  departure，ＡｏＤ，発射角又は送信角度とも呼ばれる。）、到来角分布（Angle  of  arrival  spread）、発射角分布（Angle  of  departure  spread）、及び空間的相関（spatial  correlation）のうちの少なくとも１つを含んでよい。
【０１０２】
任意に、空間情報に対する疑似コロケーション関係が第２信号と第１信号との間に存在することは、
空間情報に対する疑似コロケーション関係が第２信号のリソース情報と第１信号のリソース情報との間に存在することを含み、すなわち、第２信号のリソース情報の空間情報は、第１信号のリソース情報の空間情報から推測され得、ここで、リソース情報は、リソース識別子情報、アンテナ・ポート情報、チャネル状態情報測定設定識別子情報、及びプロセス識別子情報のうちの少なくとも１つを含む。
【０１０３】
任意に、第１インジケーション情報は、上位層シグナリング又は物理層シグナリングを使用することによって配信されてよい。
【０１０４】
任意に、第１信号は、非ゼロ電力参照信号を含む。
【０１０５】
任意に、第１信号に含まれる非ゼロ電力参照信号は、チャネル状態情報を得るために使用される非ゼロ電力参照信号、復調のために使用される非ゼロ電力参照信号、ビーム管理のために使用される非ゼロ電力参照信号、同期信号、並びに時間及び周波数の同期及び追跡のために使用される追跡参照信号tracking  RSのうちの少なくとも１つである。例えば、ＬＴＥシステムでは、チャネル状態情報を得るために使用される参照信号は、チャネル状態情報参照信号（channel  state  information-reference  signal，ＣＳＩ−ＲＳ）であってよく、復調のために使用される参照信号は、復調参照信号（demodulation  reference  signal，ＤＭＲＳ）であってよい。ＮＲシステムでは、チャネル状態情報を得るために使用される参照信号はＣＳＩ−ＲＳであってよく、あるいは、チャネル状態情報を得る機能を有する他の参照信号であってよく、復調のために使用される参照信号はＤＭＲＳであってよく、あるいは、復調の機能を有する他の参照信号であってよく、ビーム管理のために使用される参照信号は、ビーム管理参照信号（beam  management  reference  signal，ＢＭＲＳ）であってよく、ビーム管理のために使用される参照信号は、ビームのラージスケール特性を測定するために使用され、更には、ビーム掃引、アライメント、及び変更のために使用されてよい。例えば、ラージスケール特性の中の利得が測定され、最大利得を有するビーム対が一対のビームとして使用される。
【０１０６】
任意に、第２信号は、参照信号を含む。参照信号は、非ゼロ電力参照信号であってよく、あるいは、ゼロ電力参照信号であってよい。
【０１０７】
任意に、第２信号に含まれる参照信号は、復調のために使用される参照信号及びアップリンクチャネル測定のために使用される参照信号のうちの少なくとも１つである。例えば、ＬＴＥシステムでは、復調のために使用される参照信号はＤＭＲＳであってよく、アップリンクチャネル測定のために使用される参照信号は、サウンディング基準信号（sounding  reference  signal，ＳＲＳ）であってよい。ＮＲシステムでは、復調のために使用される参照信号はＤＭＲＳであってよく、あるいは、復調の機能を有する他の参照信号であってよく、アップリンクチャネル測定のために使用される参照信号はＳＲＳであってよく、あるいは、アップリンクチャネル測定の機能を有する他の参照信号であってよい。
【０１０８】
任意の方法で、第１インジケーション情報は、疑似コロケーション情報を示すために使用されるフィールド、例えば、ＬＴＥシステムにおける物理ダウンリンク共有チャネルリソース要素マッピング及び疑似コロケーションインジケータフィールド（Quasi-Co-Location  Indicator  field，ＰＱＩ）に含まれてよい。
【０１０９】
協調マルチポイント伝送をサポートするよう、第３世代パートナーシップ・プロジェクト（英語：3rd  Generation  Partnership  Project，略して３ＧＰＰ）リリース１１では、アンテナ・ポートの疑似コロケーションがＬＴＥで導入され、ＬＴＥシステムでは略してＱＣＬ（Quasi  Co-Located）の概念と呼ばれる。ＱＣＬアンテナ・ポートから送信される信号は、同じラージスケール減衰を免れない。ラージスケール減衰は、遅延広がり、ドップラー広がり、ドップラーシフト、平均チャネル利得、及び平均遅延を含む。端末デバイス（すなわち、ユーザ機器）がサービングＴＲＰ（サービングセルが属するＴＲＰ）からＰＤＣＣＨを通じてダウンリンク制御情報を受け、協調ＴＲＰ（協調セルが属するＴＲＰ）からＰＤＳＣＨを通じてダウンリンクデータを受けることを支援するよう、リリース１１は、新しい伝送モード、具体的に、伝送モード１０（ＴＭ１０，transmission  mode  10）を定義し、ダウンリンクデータが送信されるＴＲＰと、ダウンリンクデータに対応するチャネル・ラージスケール特性が一致するアンテナ・ポートのグループとを示すために使用される上記の物理ダウンリンク共有チャネルリソース要素マッピング及び疑似コロケーションインジケータ（ＰＱＩ）を主に導入する。このように、ＵＥは、ＰＱＩに基づき、且つ、無線リソース制御（英語：Radio  Resource  Control，略してＲＲＣ）シグナリングで構成されるＰＤＳＣＨマッピングメッセージを参照して、ダウンリンクデータを復調するためにアンテナ・ポートのどのグループが必要とされるかに対応する無線チャネルパラメータを知ることができる。
【０１１０】
具体的に、ＴＭ１０が構成されるＵＥについて、２つのＱＣＬ想定、すなわち、ＱＣＬタイプ（type）Ａ及びタイプＢがある。タイプＡでは、サービングセルの全てのポート（port）が外見上同じ場所にある。タイプＢでは、ＰＤＳＣＨアンテナ・ポート及び非ゼロ電力チャネル状態情報参照信号（ＮＺＰ  ＣＳＩ−ＲＳ）リソースに対応するアンテナ・ポートが外見上同じ場所にある。プロトコルにおける記載の抜粋は、次の通りである：
【数１】
2020506583.tif 000003
【０１１１】
タイプＡ：ＵＥは、サービングセルのアンテナ・ポート０乃至３及び７乃至３０が遅延広がり、ドップラー広がり、ドップラーシフト、及び平均遅延に対してＱＣＬ関係を有していると想定してよい。
【０１１２】
タイプＢ：ＵＥは、上位層パラメータqcl-CSI-RS-ConfigNZPId-rllによって特定されるＣＳＩ−ＲＳリソース構成に対応するアンテナ・ポート１５乃至３０と、物理ダウンリンク共有チャネル（ＰＤＳＣＨ）に関連するアンテナ・ポート７乃至１４とが遅延広がり、ドップラー広がり、ドップラーシフト、及び平均遅延に対してＱＣＬ関係を有していると想定してよい。
【０１１３】
アンテナ・ポート１５乃至３０はＣＳＩ−ＲＳアンテナ・ポートであるが、アンテナ・ポート７乃至１４はＰＤＳＣＨアンテナ・ポートであり、ＤＭＲＳアンテナ・ポートは、通常は、ＰＤＳＣＨアンテナ・ポートと一致する。従って、タイプＢはまた、ＤＭＲＳアンテナ・ポートとのＱＣＬ関係を有するＣＳＩ−ＲＳアンテナ・ポートを示す。
【０１１４】
例えば、いくつかの可能なパラメータセットが、無線リソース制御（radio  resource  control，ＲＲＣ）シグナリングのような上位層シグナリングを使用することによって配信（又は設定）されてよい。例えば、ＬＴＥシステムでは、４つの可能なパラメータセットが配信される。ＤＣＩシグナリングのような物理層シグナリングを使用することによって、４つの可能なパラメータセットにおいてアクティブにされる必要がある１つのパラメータセットが、示される。
【０１１５】
具体的に、ＬＴＥシステムでは、４つの可能なパラメータセットにおいてアクティブにされる必要があるパラメータセットを示すために使用されるフィールドは、ＰＤＳＣＨ  ＲＥマッピング及び疑似コロケーションインジケータ（ＰＱＩ）フィールドである。
【０１１６】
上位層シグナリングを使用することによって配信されるパラメータセットに含まれるパラメータの１つは、そのパラメータセットによって構成されるＰＤＳＣＨリソースと外見上同じ場所にあるＣＳＩ−ＲＳリソースを示すために使用されるqcl-CSI-RS-ConfigNZPId-rllフィールドのような識別子である。
【０１１７】
ＣＳＩ−ＲＳリソースの識別子（identity又はidentifier，ＩＤ）は、ＣＳＩ−ＲＳリソース構成のグループを示す。
【０１１８】
例えば、ＣＳＩ−ＲＳの識別子は、csi-RS-ConfigNZPIdであってよい。相応して、各ＣＳＩ−ＲＳリソースの構成は、ＣＳＩ−ＲＳリソースのアンテナ・ポート数（例えば、antennaPortsCount-r11情報要素（フィールドとも呼ばれ得る。））、リソース構成（例えば、resourceConfig-r11情報要素）、サブフレーム構成（例えば、subframeConfig-r11情報要素）、スクランブリング識別（例えば、scramblingIdentity-r11情報要素）、及びＣＳＩ−ＲＳリソース（例えば、qcl-CRS-Info-r11情報要素）と外見上同じ場所にある、すなわち、ＱＣＬ関係を有しているＣＲＳ（共通参照信号，common  reference  signal）、のうちの１つ以上を含む。
【０１１９】
例えば、ＣＳＩ−ＲＳリソース構成のグループ内に含まれる情報要素は、次の通りであってよい（３ＧＰＰ  ＴＳ３６．２１１）：
【数２】
2020506583.tif 000004
2020506583.tif 000005
【０１２０】
上記のＰＱＩフィールドは、ＤＣＩ（ダウンリンク制御情報，down  link  control  information）フォーマット（format）２Ｄで配信され得る。例えば、ＰＱＩフィールドは２ビット（bit）を占有し得る。
【０１２１】
例えば、ＰＱＩの２ビットの意味は、次の表で示され得る：
【表１】
2020506583.tif 000006
【０１２２】
このように、ＵＥは、受信されたquasi-co-locationインジケータフィールドに基づき、どのパラメータセットが使用されるかを知ることができ、そのパラメータセット内のＣＳＩ−ＲＳに関する構成に基づきＣＳＩ−ＲＳポートとＣＲＳポートとの間の関係を知ることができ、そして、更には、そのパラメータセットに対応するＰＤＳＣＨが受信される場合に、復調、周波数オフセット補正、などを実行するために参照されるべきであるＣＲＳポートを知ることができる。
【０１２３】
具体的に、遅延（delay）広がり、ドップラー広がり、ドップラーシフト、及び平均遅延は全てがラージスケールパラメータである。アンテナ・ポートＡのようなアンテナ・ポートと、アンテナ・ポートＢのような他のアンテナ・ポートとが、ラージスケールパラメータに対して外見上同じ場所にあることは、アンテナ・ポートＢのチャネル・ラージスケールパラメータが、アンテナ・ポートＡから取得（conveyed）されたチャネル・ラージスケールパラメータを使用することによって推測（infer）され得ることを意味する。ラージスケールパラメータは、平均利得（Average  gain）を更に含んでよい。更には、ラージスケールパラメータは、空間情報（空間パラメータ，Spatial  parameterとも呼ばれる。）を更に含んでよい。空間情報は、受信到来角（Angle  of  arrival）、発射角（Angle  of  departure，送信角度とも呼ばれる。）、到来角分布（Angle  of  arrival  spread）、発射角分布（Angle  of  departure  spread）、及び空間的相関（spatial  correlation）のうちの少なくとも１つを含んでよい。空間的相関は、信号相関行列に関係があり得る。信号相関行列内の要素は、２つのアンテナユニット間の相関を記述するために使用され、ここで、アンテナユニットは、アンテナ要素又はアンテナ・パネルであってよく、あるいは、他のアンテナユニットであってよい。これは、ここで制限されない。
【０１２４】
ＴＲＰの複数のアンテナ・パネルの出現により、ＱＣＬは、マルチパネル伝送の場合に更に適用され得る。
【０１２５】
本願では、ＱＣＬ想定は、空間情報に対する第２信号と第１信号との間のＱＣＬを更に含んでよい。
【０１２６】
例えば、ＣＳＩ−ＲＳとアップリンクＳＲＳとの間のＱＣＬ関係が定義され、且つ、空間情報が発射角及び到来角であるとすれば、ＱＣＬ想定におけるタイプＢの記述は、更に次を含み得る：
【数３】
2020506583.tif 000007
【０１２７】
具体的に、ＵＥは、上位層パラメータqcl-Csirs-UplinkSRSによって特定されるＣＳＩ−ＲＳリソースに対応するアンテナ・ポート１５〜３０と、アンテナ・ポート４０〜４３とが、到来角及び発射角に対してＱＣＬ関係を有していると想定し得る。
【０１２８】
アンテナ・ポート４０乃至４３は、アップリンクＳＲＳポートであってよい。
【０１２９】
具体的に、第２無線ネットワークデバイスは、ＲＲＣシグナリングのような上位層シグナリングを使用することによって、データ伝送のために使用される複数のパラメータセットを配信し得る。例えば、各パラメータセットは、上記のパラメータセット内の内容のような内容を含み（あるいは、上記のパラメータセット内の内容の一部を含まなくてもよく、これは、ここで制限されない。）、更には、第２信号と外見上同じ場所にある、すなわち、ＱＣＬ関係を有している第１信号を示すために使用される、リソース識別子のようなリソース情報を含んでよい。例えば、第２信号がアップリンクＳＲＳであり、第１信号がＣＳＩ−ＲＳである場合に、各パラメータセットはＣＳＩ−ＲＳのリソース識別子を含んでよい。各パラメータセットは、ＰＤＳＣＨと外見上同じ場所にあるＣＳＩ−ＲＳのリソース識別子を更に含むので、パラメータセットの個数は、ＰＤＳＣＨと外見上同じ場所にあるＣＳＩ−ＲＳのリソース識別子と、アップリンクＳＲＳ（すなわち、ジョイント・コーディング）と外見上同じ場所にあるＣＳＩ−ＲＳのリソース識別子との組み合わせに基づき、決定され得、更には、異なる組み合わせを有するパラメータセットのインデックス情報が取得される。例えば、ＰＤＳＣＨと外見上同じ場所にあるＣＳＩ−ＲＳの４つのリソース識別子が存在してよく、アップリンクＳＲＳと外見上同じ場所にあるＣＳＩ−ＲＳの４つのリソース識別子も存在してよい。この場合に、異なる組み合わせを有する１６個のパラメータセットがある。
【０１３０】
更に、第２無線ネットワークデバイスは、上記の第１インジケーション情報をＵＥへ送るために、疑似コロケーション情報を示すために使用されるＰＱＩのようなフィールドをＵＥへ送ってよい。
【０１３１】
任意に、疑似コロケーションを示すために使用されるフィールドは、ＤＣＩを使用することによって配信されてよい。
【０１３２】
任意に、疑似コロケーションを示すために使用されるフィールドはまた、上位層シグナリングを使用することによって配信されてもよい。
【０１３３】
例えば、上記の異なる組み合わせを有する１６個のパラメータセットが存在する。この場合に、４ビットフィールドが、ＵＥによって使用されるパラメータセットを示すために使用されてよく、すなわち、第１インジケーション情報は４ビットフィールドであり、フィールドは疑似コロケーション情報を示し得る。ＵＥは更に、第２無線ネットワークデバイスからの４ビットフィールドに基づき、アップリンクＳＲＳと外見上同じ場所にあるＣＳＩ−ＲＳのものであって、パラメータセットに含まれるリソース識別子情報を知る。その上、パラメータセットはＰＤＳＣＨと外見上同じ場所にあるＣＳＩ−ＲＳのリソース識別子情報を更に含むので、ＵＥは更に、ＤＭＲＳアンテナ・ポートの情報のような、アップリンクＳＲＳと外見上同じ場所にあるＰＤＳＣＨの情報を知り得る。１６個のパラメータセット及び４ビットフィールドにおける数１６及び４は例であり、あるいは、他の値であってよく、ここで制限されない。
【０１３４】
データ伝送のために使用される複数のパラメータセットは、上位層シグナリングのフィールドに含まれてよく、パラメータセットは、次のパラメータのうちの少なくとも１つを含んでよい：
セル参照信号のポートの数、セル参照信号のポート番号、セル参照信号の周波数領域位置の指示、及びセル参照信号の時間領域位置の指示；
同期信号のリソース指示（リソースは、時間領域リソース、周波数領域リソース、又はビームリソースのうちの少なくとも１つを含み、任意に、指示はインデックス又は識別であってよい。）、及び同期信号の時間領域単位の指示（時間領域単位は、サブフレーム、タイムスロット、ＯＦＤＭシンボル、又はミニ・タイムスロットのうちの１つ以上であってよく、例えば、指示はインデックス又は識別子であってよい。）；
マルチメディア・ブロードキャスト・マルチキャスト・サービス単一周波数ネットワーク（multimedia  broadcast  multicast  service  single  frequency  network，ＭＢＳＦＮ）コンフィグレーション情報（例えば、コンフィグレーション情報は、ＭＢＳＦＮ伝送の時間領域単位フォーマットであってよく、コンフィグレーション情報は、ＭＢＳＦＮ伝送のために占有される時間領域単位を示すために使用され、時間領域単位は、サブフレーム、タイムスロット、シンボル、又はミニ・タイムスロットのうちの１つ以上であってよい。）；
チャネル状態を得るために使用されるゼロ電力ＣＳＩ−ＲＳのリソース指示；
（物理ダウンリンク共有チャネルＰＤＳＣＨのような）ダウンリンクデータチャネルのリソース位置指示（例えば、リソース位置は、ＰＤＳＣＨの時間領域又は周波数領域リソース位置であってよく、ここで、時間領域位置は、ＰＤＳＣＨの開始及び／又は終了ＯＦＤＭシンボルのような、ＰＤＳＣＨによって占有される時間領域リソースであってよく、周波数領域位置は、ＰＤＳＣＨによって占有される周波数領域リソースであってよい。）；
チャネル状態を得るために使用される非ゼロ電力ＣＳＩ−ＲＳの、ダウンリンクＤＭＲＳとのＱＣＬ関係を示すために使用されるリソース指示（リソース指示は、ＣＳＩ−ＲＳパイロットの時間−周波数位置及び／又は順序を示すために使用されてよく、例えば、リソース指示は、ＣＳＩ−ＲＳのリソース識別子であってよい。）、及びダウンリンクＤＭＲＳとのＱＣＬ関係を示すために使用されるラージスケールパラメータ指示（指示は、ＣＳＩ−ＲＳとのＱＣＬ関係を示すために使用されるラージスケールパラメータであり、例えば、指示は、ＣＳＩ−ＲＳとＤＭＲＳとの間のＱＣＬ関係を示すために使用されるラージスケールパラメータタイプ指示であってよく、あるいは、ＣＳＩ−ＲＳとＤＭＲＳとの間のＱＣＬ関係を示すために使用されるラージスケールパラメータ指示であってよい。）；並びに
チャネル状態を得るために使用される非ゼロ電力ＣＳＩ−ＲＳの、アップリンクＳＲＳとのＱＣＬ関係を示すために使用されるリソース識別子指示、チャネル状態を得るために使用される非ゼロ電力ＣＳＩ−ＲＳの、アップリンクＳＲＳとのＱＣＬ関係を示すために使用されるポート指示、チャネル状態を得るために使用される非ゼロ電力ＣＳＩ−ＲＳの、アップリンクＳＲＳとのＱＣＬ関係を示すために使用される時間−周波数位置指示、アップリンクＳＲＳとのＱＣＬ関係を示すために使用される、ダウンリンクＤＭＲＳのリソース指示、アップリンクＳＲＳとのＱＣＬ関係を示すために使用される、ダウンリンクＤＭＲＳのポート（グループ）指示、アップリンクＳＲＳとのＱＣＬ関係を示すために使用される、ダウンリンクＤＭＲＳの時間−周波数位置指示、アップリンクＳＲＳとのＱＣＬ関係を示すために使用される、同期信号のリソース指示（例えば、同期信号の時間領域単位の指示、又は同期信号のリソース番号）、及びアップリンクＳＲＳとのＱＣＬ関係を示すために使用されるラージスケールパラメータ指示。
【０１３５】
本願で、ＱＣＬの定義については、５ＧにおけるＱＣＬの定義を参照されたい。ニュー・ラジオＮＲシステムでは、ＱＣＬは次の通りに定義される：外見上同じ場所にあるアンテナ・ポートによって送信される信号は、同じラージスケール減衰を免れない。ラージスケール減衰は、次のパラメータ：遅延広がり、ドップラー広がり、ドップラーシフト、平均チャネル利得、平均遅延、及び空間領域パラメータ、のうちの１つ以上を含む。空間領域パラメータは、送信角度（ＡｏＡ）、支配的な送信角度（Dominant  AoA）、平均到来角（Average  AoA）、到来角（AoD）、チャネル相関行列、到来角の電力方位スペクトル、平均発射角（Average  AoD）、発射角の電力方位スペクトル、送信チャネル相関、受信チャネル相関、送信ビームフォーミング、受信ビームフォーミング、空間チャネル相関、フィルタ、空間フィルタパラメータ、又は空間受信パラメータのようなパラメータの１つ以上であってよい。
【０１３６】
本願で、指示は識別子又はインデックスであってよく、ここで制限されない。
【０１３７】
本願で、時間領域単位は、サブフレーム、タイムスロット、ＯＦＤＭシンボル、又はミニ・タイムスロットのうちの１つ以上であってよい。
【０１３８】
このように、第１インジケーション情報を使用することによって、ＵＥは、複数のパラメータセット内でアクティブにされるパラメータセットを決定し、更には、対応するパラメータを取得し、例えば、ＰＤＳＣＨを受信するためのＤＭＲＳとＣＳＩ−ＲＳとの間のＱＣＬ関係と、送信されるＳＲＳと第１信号との間のＱＣＬ関係とを知ることができる。
【０１３９】
他の任意の方法で、第１インジケーション情報は、ダウンリンク制御情報に含まれ、ダウンリンク制御情報は、アップリンクスケジューリング関連情報を示すために使用される情報を更に含み、ここで、アップリンクスケジューリング関連情報は、アップリンク時間−周波数マッピング位置と、変調及び符号化スキームとのうちの少なくとも１つを含む。
【０１４０】
このように、第１インジケーション情報は、ＱＣＬ情報を示すために使用されるフィールド、例えば、ＰＱＩに含まれず、第１インジケーション情報は、他のビット（フィールド）で運ばれ、例えば、アップリンクＱＣＬインジケータフィールド（Uplink  Quasi-Co-Location  Indicator）で運ばれ、ここで、フィールドは数ビットを含む。数ビットのバイナリ値又は数ビットの夫々（ビットマップの形をとる。）は、第２信号と外見上同じ場所にある第１信号の情報を示し得る。数ビットの量は、第２信号と外見上同じ場所にある第１信号の情報片の量に関係がある。例えば、第１信号がＣＳＩ−ＲＳであり、第１信号のリソース識別子の個数が４である場合に、数ビットの数量は２であってよく、ここで“００”、“０１”、“１０”、及び“１１”は夫々、４つのＣＳＩ−ＲＳリソース識別子の中の１つを示し、あるいは、数ビットの数量は４であってよく、各ビットは４つのＣＳＩ−ＲＳリソース識別子の中の１つに対応する。任意に、１つのビットが１であるとき、それは、対応するＣＳＩ−ＲＳリソース識別子がアクティブにされていることを示すことができ、あるいは、１つのビットが０であるとき、それは、対応するＣＳＩ−ＲＳリソース識別子がアクティブにされていないことを示すことができる。
【０１４１】
任意に、アップリンクＱＣＬインジケータフィールドは、第２信号と第１信号との間のＱＣＬ関係を示すことに専用のフィールドであってよく、あるいは、アップリンクＱＣＬインジケータフィールドは、ＳＲＳリクエストフィールド内に含まれてよい（例えば、ＳＲＳリクエストフィールド内のフィールド）。ＳＲＳリクエストフィールドは、基地局によってＵＥへ送信されるダウンリンク制御情報内のＳＲＳリクエストであり、ＳＲＳリクエストフィールドは、ＵＥをトリガしてＳＲＳを送信させるために使用され、あるいは、アップリンク信号の閉ループ電力制御パラメータを送信するようにＵＥに指示するために使用される。
【０１４２】
任意に、第１インジケーション情報、例えば、アップリンクＱＣＬインジケータフィールドは、ＤＣＩで運ばれてよく、第２信号と第１信号との間のＱＣＬ関係を示すことに専用のフィールドであり、あるいは、第１インジケーション情報は、他のインジケーション情報とともに一緒に示されてよい。例えば、第１インジケーション情報は、ＳＲＳリクエストのインジケーション情報とともに一緒に示されてよい。具体的に、ＳＲＳリクエストフィールドは、基地局によってＵＥへ送信されるダウンリンク制御情報内のＳＲＳリクエストであり、ＳＲＳリクエストフィールドは、ＵＥをトリガしてＳＲＳを送信させるために使用される。任意に、ＳＲＳリクエストフィールドは更に、アップリンク信号の閉ループ電力制御パラメータを送信するようにＵＥに指示するために使用されてよい。具体的に、第１無線ネットワークデバイスは、ダウンリンク制御情報をＵＥへ送信してよく、ここで、ダウンリンク制御情報は、ＳＲＳの情報を送信するようにＵＥに指示するために使用されるＳＲＳリクエストフィールドを運ぶことができる。ＳＲＳリクエストフィールドは更に、第１インジケーション情報として使用され得る。例えば、ＳＲＳリクエストフィールド内のいくつかのフィールドが第１インジケーション情報を示してよく、あるいは、ＳＲＳリクエストフィールドのインジケータビットが第１インジケーション情報を示してよい。
【０１４３】
任意に、第１インジケーション情報は、アップリンクスケジューリング関連情報を示すために使用されるフィールドに含まれてよい。
【０１４４】
Ｓ１０２．第１無線ネットワークデバイスは、第１信号をユーザ機器へ送信し、相応して、ユーザ機器は、第１信号を第１無線ネットワークデバイスから受信し、ここで、第１無線ネットワークデバイス及び第２無線ネットワークデバイスは同じであってよく、すなわち、同じ無線ネットワークデバイスであってよく、あるいは、異なってもよい。
【０１４５】
任意に、第１無線ネットワークデバイスは、ユーザ機器のサービングセルが属する無線ネットワークデバイスであってよく、あるいは、ユーザ機器の協調セルが属する無線ネットワークデバイスであってよく、第２無線ネットワークデバイスは、ユーザ機器のサービングセルが属する無線ネットワークデバイスであってよい。
【０１４６】
Ｓ１０３．ユーザ機器は、第１信号に基づき第２信号の空間情報を決定し、第２信号の空間情報を使用することによって第２信号を第１無線ネットワークデバイスへ送信する。
【０１４７】
任意に、第２信号の空間情報は、第２信号の送信角度を含み、第２信号の送信角度は、第１信号の到来角に基づき決定される。
【０１４８】
更に、第１無線ネットワークデバイスは更に、第１信号に基づき第２信号の受信到来角を決定し、受信到来角を使用することによって第２信号を受信し得る。
【０１４９】
更に、空間情報を決定することの動作方法は、次の通りであってよい：ＵＥは、物理的及び／又は論理的アンテナの重みを調整し、例えば、重みアレイを形成するよう、アナログ位相シフタの位相を調整すること及び／又はデジタル・プリコーディングのプリコーディング行列を調整すること、などによって、重みを調整する。ＵＥは、信号を受信するときに重みを調整してよく、それにより、受信重み行列が形成される。ＵＥによって受信行列を形成する目的は、信号受信性能を最適化し、干渉を低減すること、などである。ＵＥは、空間領域における第１信号のエネルギ分布に基づき、第１信号を受信するための空間情報を取得し、従って、信号を受信するために最適とＵＥが考える受信行列を選択し得る。例えば、空間領域における第１信号のエネルギ分布に基づき、第１信号を受信するための空間情報を取得することは、数学変換（例えば、フーリエ変換）を通じて信号の空間電力スペクトルから信号相関行列を求めることを含んでよい。信号伝送中に調整される重みは、送信重み行列を形成する。
【０１５０】
更に、第１信号が複数の信号を含む場合に、ＵＥは、第１信号内の複数の信号の空間情報に基づき第２信号の空間情報を決定する。具体的に、ＵＥは、第１信号内の複数の信号を処理し、第２信号の空間情報を取得し得る。例えば、ＵＥは、第１信号内の各信号の空間情報に対応する空間領域又は角度領域又はビーム領域情報を、第２信号の空間領域又は角度領域又はビーム領域情報として使用し、あるいは、ＵＥは、第１信号内のいくつかの信号の空間情報に対応する空間領域又は角度領域又はビーム領域情報を、第２信号の空間領域又は角度領域又はビーム領域情報として使用する。更に、ＵＥは、希望の信号の空間情報として第１信号内のいくつかの信号の空間情報を使用してよい。ＵＥは、干渉の空間情報として第１信号内のいくつかの信号の空間情報を使用してよい。第２信号の空間情報を得るとき、ＵＥは、第１信号内のいくつかの信号に対応する空間領域又は角度領域又はビーム領域情報を希望の信号の空間情報として使用し、且つ、第１信号内のいくつかの信号に対応する空間領域又は角度領域又はビーム領域情報を干渉の空間情報として使用し得る。希望の信号は、チャネルとも呼ばれ得る。
【０１５１】
更に、第２信号が複数の信号を含む場合に、ＵＥは、第２信号の複数の信号について同じ又は近似的な空間情報を使用してよい。
【０１５２】
例えば、第１信号が複数の信号を含むことは、第１信号が複数のＣＳＩ−ＲＳリソース又はＣＳＩ−ＲＳポートを含むことを意味してよく、第２信号が複数の信号を含むことは、第１信号が複数のＳＲＳリソース又はＳＲＳポートを含むことを意味してよい。
【０１５３】
任意に、ＵＥは、第２信号の送信方向のための基準として第１信号の受信方向を使用してよい。
【０１５４】
例えば、ＵＥは、第２信号の送信重み行列と第１信号の受信重み行列との間の共役行列関係を形成するよう送信アンテナ重みを調整してよい。任意に、第２信号の送信重み行列と第１信号の受信重み行列との間の共役行列関係は：第２信号の送信重み行列が第１信号の受信重み行列のエルミート（Hermite）行列であることを含む。
【０１５５】
Ｓ１０２及びＳ１０３について、例えば、図４に示される上記のＤＰＳシナリオでは、第１無線ネットワークデバイス（ＴＲＰ１）及び第２無線ネットワークデバイス（ＴＲＰ２）の両方がデータをＵＥへ配信し、ここで、ＴＲＰ１によって配信されるＣＳＩ−ＲＳリソースＩＤは、ＵＥによって受信される第１インジケーション情報によって示され且つ第２信号（例えば、ＳＲＳ）と外見上同じ場所にあるＣＳＩ−ＲＳリソースＩＤと同じである。従って、ＵＥは、ＴＲＰ１によって配信されるＣＳＩ−ＲＳリソースＩＤに基づき、第２信号の空間情報を決定する。例えば、第２信号の送信ビームの方向は、ＴＲＰ１を指す。ＴＲＰ２によって配信されるＣＳＩ−ＲＳリソースＩＤは、ＵＥによって受信される第１インジケーション情報によって示され且つ第２信号（例えば、ＳＲＳ）と外見上同じ場所にあるＣＳＩ−ＲＳリソースＩＤとは異なる。いくつかのシナリオで、ＵＥによって送信されるべき第２信号の複数の空間情報片がある場合に、例えば、ＪＴシナリオでは、ＵＥは、データ信号及び／又は制御信号を複数のＴＲＰへ送信してよく、相応して、第１信号の複数の空間情報片も存在し得ることが理解され得る。例えば、１よりも多いＴＲＰは、空間情報に対して第２信号と外見上同じ場所にある第１信号の同じアンテナ・ポート又はリソース識別子を使用する。従って、送信されるべき第２信号の複数の空間情報を決定する目的は達成される。
【０１５６】
その上、通常、ＳＲＳのような、アップリンクチャネルサウンディングのために使用される参照信号のアンテナ・ポートは、アップリンクデータチャネル（例えば、物理アップリンク共有チャネル（physical  uplink  shared  channel，ＰＵＳＣＨ））及び／又はアップリンク制御チャネル（例えば、物理アップリンク制御チャネル（physical  uplink  control  channel，ＰＵＣＣＨ））のアンテナ・ポートと一致することが理解され得る。
【０１５７】
ＵＥは、第２信号の空間情報に基づき、第２信号に関連する信号の空間情報、例えば、アップリンク制御チャネル、アップリンクデータ信号、及びアップリンク復調のために使用される参照信号のうちの少なくとも１つの空間情報を更に決定してよい。
【０１５８】
このように、ＵＥは、ＵＥによって受信される第１信号と、空間情報に対する第２信号と第１信号との間のＱＣＬを示すために使用される第１インジケーション情報とを使用することによって、第２信号の空間情報を決定することができる。
【０１５９】
任意に、他の可能な実施形態では、前述のＳ１０１は任意である。
【０１６０】
具体的に、Ｓ１０１は、空間情報に対する第１信号と第２信号との間のＱＣＬ関係において第２信号と外見上同じ位置にある第１信号が、ＴＲＰとＵＥとの間の適合した且つ固定の、設定可能でない、又は動的に変化する信号であるときに、省略されてよい。ＱＣＬ関係は、プロトコルによって前もって定義されてよい。
【０１６１】
従って、前述の、前もって定義されたＱＣＬ関係に従って、ＴＲＰは、第１信号を配信することによって、ＵＥの送信されるべき第２信号の空間情報をＵＥに示す。第１信号を受信すると、ＵＥは、前述の前もって定義されたＱＣＬ関係に従って、ＵＥの送信されるべき第２信号の空間情報を知る。従って、送信されるべき第２信号の空間情報をＵＥによって決定する目的は達成される。
【０１６２】
図５ｃに示される実施は、次のステップを含む。
【０１６３】
Ｓ２０１．ユーザ機器は、第２無線ネットワークデバイスから第２インジケーション情報を受け、ここで、第２インジケーション情報は、第１信号が第２信号の空間情報のための基準となることを示し、相応して、第２無線ネットワークデバイスは、第２インジケーション情報をユーザ機器へ送信する。
【０１６４】
Ｓ２０２．ユーザ機器は、第１無線ネットワークデバイスから第１信号を受信し、相応して、第１無線ネットワークデバイスは、第１信号をユーザ機器へ送信する。
【０１６５】
Ｓ２０３．ユーザ機器は、送信されるべき第２信号の空間情報を第１信号に基づき決定し、送信されるべき第２信号を、第２信号の空間情報を使用することによって送信する。
【０１６６】
任意に、第２信号の空間情報は、第２信号の送信角度を含み、第２信号の送信角度は、第１信号の到来角に基づき決定されてよい。
【０１６７】
更に、空間情報を決定することの動作方法は、次の通りであってよい：ＵＥは、物理的及び／又は論理的アンテナの重みを調整し、例えば、重みアレイを形成するよう、アナログ位相シフタの位相を調整すること及び／又はデジタル・プリコーディングのプリコーディング行列を調整すること、などによって、重みを調整する。ＵＥは、信号を受信するときに重みを調整してよく、それにより、受信重み行列が形成される。ＵＥによって受信行列を形成する目的は、信号受信性能を最適化し、干渉を低減すること、などである。ＵＥは、空間領域における第１信号のエネルギ分布に基づき、第１信号を受信するための空間情報を取得し、従って、信号を受信するために最適とＵＥが考える受信行列を選択し得る。例えば、空間領域における第１信号のエネルギ分布に基づき、第１信号を受信するための空間情報を取得することは、数学変換（例えば、フーリエ変換）を通じて信号の空間電力スペクトルから信号相関行列を求めることを含んでよい。信号伝送中に調整される重みは、送信重み行列を形成する。
【０１６８】
更に、第１信号が複数の信号を含む場合に、ＵＥは、第１信号内の複数の信号の空間情報に基づき第２信号の空間情報を決定する。具体的に、ＵＥは、第１信号内の複数の信号を処理し、第２信号の空間情報を取得し得る。例えば、ＵＥは、第１信号内の各信号の空間情報に対応する空間領域又は角度領域又はビーム領域情報を、第２信号の空間領域又は角度領域又はビーム領域情報として使用し、あるいは、ＵＥは、第１信号内のいくつかの信号の空間情報に対応する空間領域又は角度領域又はビーム領域情報を、第２信号の空間領域又は角度領域又はビーム領域情報として使用する。更に、ＵＥは、希望の信号の空間情報として第１信号内のいくつかの信号の空間情報を使用してよい。ＵＥは、干渉の空間情報として第１信号内のいくつかの信号の空間情報を使用してよい。第２信号の空間情報を得るとき、ＵＥは、第１信号内のいくつかの信号に対応する空間領域又は角度領域又はビーム領域情報を希望の信号の空間情報として使用し、且つ、第１信号内のいくつかの信号に対応する空間領域又は角度領域又はビーム領域情報を干渉の空間情報として使用し得る。希望の信号は、チャネルとも呼ばれ得る。
【０１６９】
更に、第２信号が複数の信号を含む場合に、ＵＥは、第２信号の複数の信号について同じ又は近似的な空間情報を使用してよい。
【０１７０】
例えば、第１信号が複数の信号を含むことは、第１信号が複数のＣＳＩ−ＲＳリソース又はＣＳＩ−ＲＳポートを含むことを意味してよく、第２信号が複数の信号を含むことは、第１信号が複数のＳＲＳリソース又はＳＲＳポートを含むことを意味してよい。任意に、ＵＥは、第２信号の送信方向のための基準として第１信号の受信方向を使用してよい。
【０１７１】
例えば、ＵＥは、第２信号の送信重み行列と第１信号の受信重み行列との間の共役行列関係を形成するよう送信アンテナ重みを調整してよい。任意に、第２信号の送信重み行列と第１信号の受信重み行列との間の共役行列関係は：第２信号の送信重み行列が第１信号の受信重み行列のエルミート（Hermite）行列であることを含む。
【０１７２】
第２無線ネットワークデバイス及び第１無線ネットワークデバイスは、同じであっても、又は異なってもよい。
【０１７３】
図５ｃに示される実施と図５ｂに示される実施との間の違いは、図５ｂにおける第１インジケーション情報はＱＣＬ想定に関係があるが、図５ｃにおける第２インジケーション情報はＱＣＬ想定と直接関係がないことにある。図５ｃにおいて、第２インジケーション情報は、第１信号が第２信号の空間情報のための基準となることを示すために使用される。具体的に言えば、ＵＥのアップリンク伝送のための基準リソースを示すためにシグナリングがダウンリンク伝送に加えられる。シグナリング（第２インジケーション情報）は、物理層シグナリング又は上位層シグナリングであってよく、あるいは、上位層シグナリング及び物理層シグナリングの組み合わせであってよい（例えば、上位層シグナリングは設定を通知し、物理層シグナリングは起動を通知する。）。
【０１７４】
具体的に、第１信号は、非ゼロ電力参照信号、例えば、チャネル状態情報を得るために使用される参照信号（例えば、ＣＳＩ−ＲＳ）、復調のために使用される参照信号（例えば、ＤＭＲＳ）、及びビーム管理のために使用される参照信号（例えば、ＢＭＲＳ）のうちの少なくとも１つを含んでよい。第２信号はアップリンク信号であり、アップリンク参照信号、例えば、復調のために使用される参照信号又はアップリンクチャネルサウンディングのために使用される参照信号のうちの少なくとも１つであってよい。
【０１７５】
任意に、第２インジケーション情報は、第１信号のコンフィグレーション情報に含まれてよい。
【０１７６】
任意に、第１信号のコンフィグレーション情報は、第１信号のチャネル状態情報測定設定（ＣＳＩ測定設定）フィールド、第１信号のプロセス（process）フィールド、第１信号のリソース（resource）フィールド、第１信号のアンテナ・ポート情報フィールド、及び第１信号のビーム情報フィールドのうちの少なくとも１つを含む。第１信号のビーム情報フィールドは、第１信号のビーム識別子（ＩＤ）を含んでよく、任意に、ＲＳ  ＩＤ及び／又はＲＳアンテナ・ポートのような、ビーム管理のためのＲＳリソースを更に含んでもよい。
【０１７７】
任意に、第２インジケーション情報は数ビットを含み、第１信号はその数ビットのうちの少なくとも１ビットに対応し、その少なくとも１ビットは、第１信号が第２信号の空間情報のための基準となることを示す。この場合に、第２インジケーション情報は、第１信号のチャネル状態情報測定設定フィールド又は第１信号のプロセスフィールドに含まれ得る。
【０１７８】
第１信号がＣＳＩ−ＲＳであって、第２インジケーション情報がCSI  measurement  setting（測定設定）フィールド（上位層シグナリング）に含まれるとして、以下で示されるように、第２インジケーション情報は、基準ＮＺＰ  ＣＳＩ−ＲＳ  ＩＤフィールド（referenceCsirsNZPId）として表現され得、フィールドは、bit  string（ビット列）として定義される。ビット列内の各ビットは、プロトコルによって前もって定義されるシーケンスにおいて、ＮＺＰ  ＣＳＩ−ＲＳ  ＩＤに対応するＮＺＰ  ＣＳＩ−ＲＳが第２信号のための基準となるかどうかを示し得る。他の任意の方法では、フィールドは、いくつかのＮＺＰ  ＣＳＩ−ＲＳ  ＩＤ値を含むことが理解され得、このとき、各ＩＤ値は、第２信号の空間情報のための基準となるリソースを示す。ＴＲＰは、第２信号の空間情報のための基準として示される必要がある第１信号が属するビームを知っているので、第１信号とビームとの間の関係が制御され得、第２信号の空間情報は制御可能である。
【数４】
2020506583.tif 000008
【０１７９】
任意に、第２インジケーション情報は、ブール値を含むフィールドであるか、あるいは、第２インジケーション情報は、第１信号が第２信号の空間情報のための基準となることを示すために使用されているときにのみ存在する。この場合に、第２インジケーション情報は、第１信号のリソースフィールド、第１信号のアンテナ・ポート情報フィールド、及び第１信号のビーム情報フィールドのうちの少なくとも１つに含まれる。
【０１８０】
第１信号がＣＳＩ−ＲＳであって、第２インジケーション情報がＮＺＰ  ＣＳＩ−ＲＳのリソースフィールド（上位層シグナリング）に含まれるとして、以下で示されるように、第２インジケーション情報は、アップリンク基準イネーブルフィールド（referenceUplinkEnable）として表現され得る。アップリンク基準イネーブルフィールドは、ブール値として定義される。例えば、値１は、フィールドが位置するＮＺＰ  ＣＳＩ−ＲＳリソースが第２信号の空間情報のための基準となることを示すことができ、値０は、フィールドが位置するＮＺＰ  ＣＳＩ−ＲＳリソースが第２信号の空間情報のための基準とならないことを示すことができる。代替的に、アップリンク基準イネーブルフィールドは、必要とされる場合にのみ設定される（存在する）フィールドとして定義され得る。フィールドがメッセージフォーマットにおいて存在する場合に、それは、フィールドが位置するＮＺＰ  ＣＳＩ−ＲＳリソースが第２信号の空間情報のための基準となることを示す。フィールドがメッセージフォーマットにおいて存在しない場合に、それは、フィールドが位置するＮＺＰ  ＣＳＩ−ＲＳリソースが第２信号の空間情報のための基準とならないことを示す。この場合に、たとえＵＥが、フィールドが位置するＮＺＰ  ＣＳＩ−ＲＳリソースを第２信号の空間情報のための基準として以前に使用したとしても、ＵＥは、フィールドが位置するＮＺＰ  ＣＳＩ−ＲＳリソースを第２信号の空間情報のための基準として使用し続けることを止める必要がある。任意に、ＮＺＰ  ＣＳＩ−ＲＳリソースフィールドは、必要とされる場合にのみ設定されるフィールドを更に含んでよい。フィールドがメッセージフォーマットにおいて存在する場合に、それは、フィールドが位置するＮＺＰ  ＣＳＩ−ＲＳリソースが第２信号の空間情報のための基準とならないことを示す。この場合に、フィールドが位置するＮＺＰ  ＣＳＩ−ＲＳリソースが第２信号の空間情報のための基準となることを示すフィールドがメッセージフォーマットにおいて存在しない場合に、それは、フィールドが位置するＮＺＰ  ＣＳＩ−ＲＳリソースが第２信号の空間情報のための基準とならないことを示すフィールドがメッセージフォーマットにおいて存在するまで、フィールドが位置するＮＺＰ  ＣＳＩ−ＲＳリソースが第２信号の空間情報のための基準であり続けることを示す。
【数５】
2020506583.tif 000009
【０１８１】
第２インジケーション情報はまた、物理層シグナリング、例えば、ダウンリンク制御情報（ＤＣＩ）に含まれてもよい。ＤＣＩがチャネル状態情報測定設定（CSI  measurement  setting）フィールド、第１信号のプロセス（process）フィールド、第１信号のリソース（resource）フィールド、第１信号のアンテナ・ポート情報フィールド、及び第１信号のビーム情報フィールドのうちの少なくとも１つを含むとき、第２インジケーション情報も、ＤＣＩ内の上記フィールドのうちの少なくとも１つに含まれ得る。代替的に、第２インジケーション情報は、独立したフィールドに含まれてよく、すなわち、上記フィールドのうちのいずれか１つに含まれなくてもよい。
【０１８２】
例えば、第１信号は、ビーム番号情報であり（例えば、ビーム情報フィールド又は独立したフィールドに含まれ）、第２インジケーション情報は、ＤＣＩに含まれる。この場合に、ＤＣＩ内で第２インジケーション情報によって占有されるビットの数は、ビームの量に関係がある。例えば、ビーム番号情報が０から３である場合は、ＤＣＩ内の２ビット情報が、どのビームの受信方向がＵＥによって送信されるべきアップリンク信号の空間情報のための基準であるかをＵＥに示すために使用され得る。他の例として、第１信号はＣＳＩ−ＲＳであり、第２信号の空間情報のための基準は、第１信号のアンテナ・ポート又はアンテナ・ポートのリソースＩＤ（例えば、第１信号のリソースフィールド又は独立したフィールドに含まれる）であり、第２インジケーション情報はＤＣＩ内に含まれる。この場合に、ＤＣＩ内で第２インジケーション情報によって占有されるビットの数は、アンテナ・ポートのグルーピング又はアンテナ・ポートのリソースＩＤのグルーピングに関係がある。例えば、アンテナ・ポート０から３の場合に、ポート０及び１が１つのグループであり、ポート２及び３がもう１つのグループである。この場合に、ＤＣＩ内の１ビットが第２インジケーション情報として使用され得、そして、第２インジケーション情報が１であるとき、それは、アンテナ・ポート０及び１における信号が第２信号の空間情報のための基準となることを示し、あるいは、第２インジケーション情報が０であるとき、それは、アンテナ・ポート２及び３における信号が第２信号の空間情報のための基準となることを示す。第２インジケーション情報の具体的な指示方法は、実際の状況に従って別なふうに定義されてよいことが理解され得る。ここで、例は、制限として使用されない。
【０１８３】
任意に、第２インジケーション情報はまた、第１インジケーション情報のフィールドに類似したフィールドでも運ばれ得る。具体的に、第２インジケーション情報は、ダウンリンク制御情報内のＳＲＳリクエストフィールドにおいて運ばれ得る。
【０１８４】
従って、第２インジケーション情報の明示的な指示に基づき、ＵＥは、第２信号の空間情報のための基準となる第１信号を知り、更には、送信されるべき第２信号の空間情報を決定することができる。
【０１８５】
本発明の実施形態は、暗黙的な指示を更に提供する。図５ｄに示される実施は、次のステップを含む。
【０１８６】
Ｓ３０１．ユーザ機器は、第１無線ネットワークデバイスから第１信号を受信し、相応して、第１無線ネットワークデバイスは、第１信号をユーザ機器へ送信する。
【０１８７】
具体的に、第１信号は、第２信号の空間情報のための参照信号である。
【０１８８】
任意に、第１信号は、第２信号の空間情報のための参照信号の特徴を有する。
【０１８９】
Ｓ３０２．ユーザ機器は、第１信号に基づき、送信されるべき第２信号の空間情報を決定し、空間情報を使用することによって、送信されるべき第２信号を送信する。
【０１９０】
具体的に、ユーザ機器は、第１信号が第２信号の空間情報のための参照信号であると決定し、ユーザ機器は、第１信号に基づき、送信されるべき第２信号の空間情報を決定する。
【０１９１】
更に、空間情報を決定することの動作方法は、次の通りであってよい：ＵＥは、物理的及び／又は論理的アンテナの重みを調整し、例えば、重みアレイを形成するよう、アナログ位相シフタの位相を調整すること及び／又はデジタル・プリコーディングのプリコーディング行列を調整すること、などによって、重みを調整する。ＵＥは、信号を受信するときに重みを調整してよく、それにより、受信重み行列が形成される。ＵＥによって受信行列を形成する目的は、信号受信性能を最適化し、干渉を低減すること、などである。ＵＥは、空間領域における第１信号のエネルギ分布に基づき、第１信号を受信するための空間情報を取得し、従って、信号を受信するために最適とＵＥが考える受信行列を選択し得る。例えば、空間領域における第１信号のエネルギ分布に基づき、第１信号を受信するための空間情報を取得することは、数学変換（例えば、フーリエ変換）を通じて信号の空間電力スペクトルから信号相関行列を求めることを含んでよい。信号伝送中に調整される重みは、送信重み行列を形成する。
【０１９２】
更に、第１信号が複数の信号を含む場合に、ＵＥは、第１信号内の複数の信号の空間情報に基づき第２信号の空間情報を決定する。具体的に、ＵＥは、第１信号内の複数の信号を処理し、第２信号の空間情報を取得し得る。例えば、ＵＥは、第１信号内の各信号の空間情報に対応する空間領域又は角度領域又はビーム領域情報を、第２信号の空間領域又は角度領域又はビーム領域情報として使用し、あるいは、ＵＥは、第１信号内のいくつかの信号の空間情報に対応する空間領域又は角度領域又はビーム領域情報を、第２信号の空間領域又は角度領域又はビーム領域情報として使用する。更に、ＵＥは、希望の信号の空間情報として第１信号内のいくつかの信号の空間情報を使用してよい。ＵＥは、干渉の空間情報として第１信号内のいくつかの信号の空間情報を使用してよい。第２信号の空間情報を得るとき、ＵＥは、第１信号内のいくつかの信号に対応する空間領域又は角度領域又はビーム領域情報を希望の信号の空間情報として使用し、且つ、第１信号内のいくつかの信号に対応する空間領域又は角度領域又はビーム領域情報を干渉の空間情報として使用し得る。希望の信号は、チャネルとも呼ばれ得る。
【０１９３】
更に、第２信号が複数の信号を含む場合に、ＵＥは、第２信号の複数の信号について同じ又は近似的な空間情報を使用してよい。
【０１９４】
例えば、第１信号が複数の信号を含むことは、第１信号が複数のＣＳＩ−ＲＳリソース又はＣＳＩ−ＲＳポートを含むことを意味してよく、第２信号が複数の信号を含むことは、第１信号が複数のＳＲＳリソース又はＳＲＳポートを含むことを意味してよい。
【０１９５】
任意に、ＵＥは、第２信号の送信方向のための基準として第１信号の受信方向を使用してよい。
【０１９６】
例えば、ＵＥは、第２信号の送信重み行列と第１信号の受信重み行列との間の共役行列関係を形成するよう送信アンテナ重みを調整してよい。任意に、第２信号の送信重み行列と第１信号の受信重み行列との間の共役行列関係は：第２信号の送信重み行列が第１信号の受信重み行列のエルミート（Hermite）行列であることを含む。
【０１９７】
任意に、ユーザ機器が、第１信号が第２信号の空間情報のための参照信号であると決定することは、ユーザ機器が、第１信号が第２信号の空間情報のための参照信号の特徴を有すると決定することを含む。
【０１９８】
任意に、第２信号の空間情報のための参照信号の特徴は、信号のリソース情報を含み、リソース情報は、アンテナ・ポート情報、リソース識別子情報、チャネル状態情報測定設定識別子情報、及びプロセス識別子情報のうちの少なくとも１つを含み、信号は、ダウンリンク制御信号、非ゼロ電力参照信号、及びビーム管理のために使用される信号のうちの少なくとも１つを含む。
【０１９９】
任意に、第２信号の空間情報は、第２信号の送信角度を含み、第２信号の送信角度は、第１信号の到来角に基づき決定され得る。
【０２００】
この場合に、第２信号の空間情報を示すために使用される基準（基準セットを含む。）は、プロトコルによって前もって定義され、ＴＲＰ及びユーザ機器の両方によって知られている。
【０２０１】
任意に、第２信号の空間情報を示すために使用される基準（基準セットを含む。）は、設定され得ない。
【０２０２】
可能な方法において、プロトコルにおいて指定されるように、ＵＥは、ダウンリンク制御情報を送信するために使用されるチャネル（物理ダウンリンク制御チャネルＰＤＣＣＨなどのダウンリンク制御チャネルと呼ばれ得る。）のリソースを、アップリンク信号を送信するための基準として使用する。具体的に言えば、第１信号がダウンリンク制御チャネルである。ダウンリンク制御チャネルのリソースは、ダウンリンク制御チャネル上の参照信号のアンテナ・ポート、ダウンリンク制御チャネルが位置するアナログビーム、などのうちの少なくとも１つを含む。
【０２０３】
通常は、ダウンリンク制御チャネルは、サービングセルによって送信され、ＵＥは、サービングセルへのアップリンクフィードバックを行う必要がある。従って、ダウンリンク制御チャネルを使用するための受信ビームが、アップリンク信号（第２信号）の空間情報のための基準として定義され得る。
【０２０４】
図４のＤＰＳを一例として用いると、協調伝送シナリオにおいて、サービングセル及び協調セルが存在する。プロトコルで指定されるように、ＵＥは、ダウンリンク制御チャネルの受信方向を使用することによってアップリンク送信方向を決定すべきである。
【０２０５】
ＤＰＳシナリオなどのいくつかのシナリオで、ｇＮＢ及びＴＲＰは共存してよく、ＴＲＰは無線ユニット（radio  unit，ＲＵ）であってよい。
【０２０６】
基地局がスケジューリングを実行する場合に、ＵＥがアップリンク信号をサービングセルへ送信するよう求められるならば、基地局は、サービングセルにおいてのみダウンリンク制御チャネルを送信し、あるいは、ＵＥがアップリンク信号をサービングセル及び他の協調セルへ送信するよう求められるならば、ＵＥのアップリンク信号を受信する必要がある全ての基地局は、ダウンリンク制御チャネルを送信すべきである。複数のセルによってダウンリンク制御チャネルを送信するモードは、同時ＳＦＮ（単一周波数ネットワーク，single  frequency  network）伝送モード、又は時分割伝送モード、などであってよい。
【０２０７】
更なる他の可能な方法において、例えば、プロトコルにおいて指定されるように、ＵＥは、（いくつかの）ダウンリンクアンテナ・ポートをアップリンク伝送のための基準として使用すべきである。例えば、ＣＳＩ−ＲＳポートを基準として用いると、プロトコルは、ＵＥによって参照されるべきポート番号を指定する。
【０２０８】
この方法では、ＵＥは、受信アンテナ・ポートの到来角を使用することによってアップリンク伝送の発射角を決定し得る。この方法では、ＴＲＰは、リソース・スケジューリングで協働してよい。具体的に言えば、ＵＥのアップリンク信号を受信する必要があるＴＲＰのみが、アップリンク伝送の発射角について基準となるアンテナ・ポートを設定することができる。
【０２０９】
例えば、プロトコルにおいて指定されるように、ＵＥは、アップリンク伝送の発射角のための基準としてダウンリンクアンテナ・ポート０を使用する。
【０２１０】
基地局が設定を行う場合に、複数の基地局が協働するならば、ＵＥのアップリンク信号を受信する必要がある基地局のみがアンテナ・ポート０を設定し、さもなければ、アンテナ・ポート０の設定は回避されるべきである。
【０２１１】
例えば、ＴＲＰ１及びＴＲＰ２の場合に、基地局がＵＥにアップリンク信号をＴＲＰ１へ送信するよう求めるならば、ＴＲＰ１は、ビームアライメント中に、ダウンリンクビームを形成するよう少なくともアンテナ・ポート０を設定する。掃引がダウンリンク送信方向及び受信方向で完了した後、ＴＲＰ１及びＵＥの両方が、アンテナ・ポート０を含むビーム対の情報を記憶する。
【０２１２】
ＴＲＰ１は、アンテナ・ポート０を使用することによって第１信号を送信するが、ＴＲＰ１は、アンテナ・ポート０を使用せずに第１信号を送信する。
【０２１３】
このようにして、ＴＲＰ１のみがアンテナ・ポートを使用することによって第１信号を送信し、プロトコルは、ＵＥがアンテナ・ポート０を基準として使用することを指定する。従って、ＵＥは、ＴＲＰ１のみにより確立され、アンテナ・ポート０を含むビーム対のダウンリンク到来方向を使用して、アップリンク送信方向を決定することを可能にされる。
【０２１４】
任意に、ＴＲＰ２は、ビームアライメント中に形成されたビームにおいてアンテナ・ポート０を割り当てなくてよい。例えば、ＴＲＰ２は、ダウンリンクビーム掃引を形成するようアンテナ・ポート１を設定する。
【０２１５】
このようにして、アンテナ・ポート０は、ＴＲＰ１とＵＥとの間に確立されたダウンリンクビーム対においてしか存在せず、プロトコルは、ＵＥがアンテナ・ポート０を基準として使用することを指定する。従って、ＵＥは、ＴＲＰ１のみにより確立され、アンテナ・ポート０を含むビーム対のダウンリンク到来方向を使用して、アップリンク送信方向を決定することを可能にされ得る。
【０２１６】
更なる他の可能な方法において、方法はビーム管理に適用され、ビームＩＤが存在する。ビームＩＤは、ＴＲＰのダウンリンク送信ビームリソース及びＵＥの受信ビームリソースのグループに対応する。プロトコルは、プロトコルによって同意されたビームＩＤリソースがＵＥのアップリンク伝送のために参照されるべきであることを指定する。例えば、ビームＩＤがＸであるダウンリンクビームに基づき、リソースはアップリンク伝送のために参照される。
【０２１７】
方法の利点は次の通りである：基地局は、異なる時間リソース上で異なるビーム対を設定することができる。ビームＩＤがＵＥによって記憶されている場合に、ＵＥは、アライメントされたビームＩＤ  Ｘを使用することによってランダムアクセス段階でアップリンク伝送を実行することができ、掃引結果を十分に使用することができる。
【０２１８】
任意に、基地局は更に、ダウンリンクビームアライメントを実行する過程で、ビームＩＤがＸであるリソースを使用することによってビーム掃引段階でダウンリンクビームアライメントを実行するよう、ＵＥの第２信号を受信するために使用されるＴＲＰのみを設定し得る。従って、ＵＥは、ＵＥの第２信号を受信するために使用されるＴＲＰにより確立されたビーム対のダウンリンク到来方向を使用して、アップリンク送信方向を決定することを可能にされ得る。
【０２１９】
例えば、プロトコルにおいて指定されるように、ＵＥは、ビームＩＤ  ０をアップリンク伝送のための基準として使用する。
【０２２０】
基地局が設定を行う場合に、複数の基地局が協働するならば、ＵＥのアップリンク信号を受信する必要がある基地局のみがビームＩＤを０として設定し、さもなければ、ビームＩＤを０として設定することは回避されるべきである。
【０２２１】
この方法は、ビームＩＤパラメータが存在する場合に適用可能である。ビームＩＤは、上位層シグナリング又は物理層シグナリングを使用することによって配信されてよい。
【０２２２】
例えば、ＴＲＰ１及びＴＲＰ２の場合に、基地局は、ＵＥに、アップリンク信号をＴＲＰ１へは送信するが、アップリンク信号をＴＲＰ２へは送信しないよう求める。
【０２２３】
この場合に、ＴＲＰ１は、ビームトレーニング段階でビームＩＤを０として設定し、このとき、ビームは少なくとも１つのアンテナ・ポートに対応し、アナログ／デジタル／ハイブリッドビームフォーミングによってビーム方向を形成する。基地局のダウンリンクビーム送信方向及びＵＥの受信方向は調整され、それにより、ビームＩＤが０であるビーム対がビームアライメントを通じて形成される。
【０２２４】
ＴＲＰ２は、ＵＥとのダウンリンクビーム対関係を確立するためにビームＩＤ  ０を使用しない。
【０２２５】
ＵＥは、ＴＲＰ１とビーム対を確立し、そして、ビームＩＤ  ０がアップリンク信号を送信するための基準として使用されることが指定される。このようにして、ＵＥがアップリンク信号をＴＲＰ１へのみ送信することを可能にする目的は達成される。
【０２２６】
更なる他の可能な方法において、プロトコルにおいて指定されるように、ＵＥは、プロトコルにおいて指定されるＣＳＩ−ＲＳリソースＩＤ内のＣＳＩ−ＲＳアンテナ・ポートを、アップリンク伝送の空間情報を決定するための基準として使用すべきである。
【０２２７】
方法の利点は、複数のビームがビーム掃引中に掃引される必要がある場合に、異なるＣＳＩ−ＲＳリソースが複数のビームを掃引するよう構成され、従って、ビームは、ＣＳＩ−ＲＳリソースを使用することによって区別され得ることにある。
【０２２８】
例えば、プロトコルにおいて指定されるように、ＵＥは、ＮＺＰ  ＣＳＩ−ＲＳリソースＩＤ  ０を、アップリンク伝送の空間情報のための基準として使用する。
【０２２９】
基地局が設定を行う場合に、複数の基地局が協働するならば、ＵＥのアップリンク信号を受信する必要がある基地局のみが、ＮＺＰ  ＣＳＩ−ＲＳ  ＩＤを０として設定し、さもなければ、ＮＺＰ  ＣＳＩ−ＲＳ  ＩＤを０として設定することは回避されるべきである。
【０２３０】
方法は、基地局が１つのビーム方向を管理するために１つのＮＺＰ  ＣＳＩ−ＲＳリソースを使用する場合に適用可能である。
【０２３１】
ＴＲＰ１及びＴＲＰ２の両方が、ＵＥとダウンリンクビーム対のアライメント関係を確立し得る。基地局が、ＵＥに、アップリンク信号をＴＲＰ１へのみ送信するよう期待する場合に、ＴＲＰ１は、ＵＥのためにＮＺＰ  ＣＳＩ−ＲＳリソースを設定し、このとき、リソースのＩＤは０であり、リソースは少なくとも１つのアンテナ・ポートに対応する。ＴＲＰ２がＵＥとビームアライメントを実行するとき、ＴＲＰ２によって設定され、ビームが位置するＮＺＰ  ＣＳＩ−ＲＳリソースのＩＤは、ＴＲＰ１のそれとは異なる。
【０２３２】
ＴＲＰ１によって設定されるＮＺＰ  ＣＳＩ−ＲＳリソース内のアンテナ・ポートのポート番号、時間−周波数リソース位置、などのうちの少なくとも１つは、ＴＲＰ２によって設定されるそれとは異なり、それにより、２つのＮＺＰ  ＣＳＩ−ＲＳリソースは区別され得る。各ＮＺＰ  ＣＳＩ−ＲＳリソース内のアンテナ・ポート番号、時間−周波数リソース位置、などは、上位層シグナリングを使用することによって配信されてよい。
【０２３３】
ＵＥは、ＴＲＰ１とビーム対を確立し、そして、ＮＺＰ  ＣＳＩ−ＲＳリソースＩＤ  ０のみがアップリンク信号を送信するための基準として使用されることが指定される。このようにして、ＵＥがアップリンク信号をＴＲＰ１へのみ送信することを可能にする目的は達成される。
【０２３４】
ここで、アップリンク伝送の空間情報のための基準は、ＵＥのアップリンクアナログビーム及び／又はデジタルビームフォーミングのための基準、などであってもよく、最終的に、アップリンク送信角度のための基準として反映され得ることが理解され得る。アップリンク伝送のための信号（第２信号）は、アップリンク制御信号、アップリンクデータ信号、及び参照信号のうちの少なくとも１つを含む。アップリンク制御信号は、物理アップリンク制御チャネルＰＵＣＣＨなどである。アップリンクデータ信号は、物理アップリンクデータチャネルＰＵＳＣＨなどである。参照信号は、ＳＲＳ、ＤＭＲＳ、などである。
【０２３５】
プロトコルが前もって定義された方法を使用する場合に、基地局及びＵＥは一貫して仕様を理解すると理解され得る。ＵＥは、アップリンク送信方向のための基準としてのみダウンリンクリソースを使用することができ、ダウンリンクリソースはまた、アップリンク受信のためにのみ使用されるＴＲＰによっても使用され得る。
【０２３６】
プロトコルにおいて前もって定義される上記の方法のうちの１つが定義されてよく、あるいは、それらの組み合わせが定義されてよい。組み合わせが定義される場合に、基地局及びＵＥは、設定中に一貫して定義を理解する。
【０２３７】
上記の５ｂ、５ｃ、及び５ｄにおける少なくとも１つの方法を使用することによって、ＵＥによってアップリンク信号の空間情報を決定するという目的は達成され得、アップリンクビーム対を得るためのビーム掃引及び測定のプロセスは簡略化又は省略され得る。
【０２３８】
更に、５ｂ、５ｃ、及び５ｄにおける少なくとも１つの方法を使用することによって、ＵＥは、第１信号と第２信号との間の空間領域関係を知ることができる。空間領域関係は、本願の他の部分で述べられている空間パラメータ、例えば、送信角度（ＡｏＡ）、支配的な送信角度（Dominant  AoA）、平均到来角（Average  AoA）、到来角（AoD）、チャネル相関行列、到来角の電力方位スペクトル、平均発射角（Average  AoD）、発射角の電力方位スペクトル、送信チャネル相関、受信チャネル相関、送信ビームフォーミング、受信ビームフォーミング、空間チャネル相関、空間フィルタ、空間フィルタパラメータ、又は空間受信パラメータなどパラメータの１つ以上を含む。経路損失及び／又はタイミングアドバンスも空間領域関係に関係があるので、第２信号と空間領域関係を有する第１信号をＵＥが決定するという条件で、ＵＥは、第２信号のアップリンク送信電力を決定するために、第１信号の受信電力を使用することによってダウンリンク経路損失を測定するか、あるいは、第２信号の送信時間を決定するために、第１信号の受信時間を使用することによってタイミングアドバンスを調整し得る。このように、ＵＥは、第１信号を受信し、第２信号と第１信号との間の関係を決定することができる。更に、ＵＥは、次の：第１信号を受信するための空間情報に基づき、第２信号を送信するための対応する空間情報を決定すること、第１信号の受信電力に基づき第２信号の送信電力を決定すること、及び第１信号の受信時間に基づき第２信号の送信時間を決定すること、の１つ以上を実行することができる。
【０２３９】
具体的に、ＵＥは、５ｂ、５ｃ、及び５ｄにおける少なくとも１つの方法に従って、ダウンリンク信号を受信するための空間情報を得ることができ、ここで、空間情報は、アップリンク信号を送信するための空間情報を決定するために使用される。従って、ＵＥは、ダウンリンク信号とアップリンク信号との間の対応を得る。原理上は、対応は、基地局による受信を容易にするために適切な空間方向で送信を実行するようＵＥに指示することである。異なる方向でＵＥによって送信されるアップリンク信号は、伝播プロセスにおいて異なる経路損失及び伝播遅延を受ける。図４に示されるように、ＴＲＰ１及びＴＲＰ２は２つの送信ポイントであり、２つの送信ポイントは、異なる地理的位置にある送信ポイントであり得る。ＵＥから２つの送信ポイントまでの距離は等しくないので、ＵＥによって送信されるアップリンク信号が受ける経路損失及び伝播遅延も異なる。５ｂ、５ｃ、及び５ｄにおける少なくとも１つの方法では、ＵＥは、第１信号に基づき第２信号の空間情報を決定し、ここで、原則は、第１信号の空間伝播経路が第２信号の経路に大いに関係するということである。従って、第１信号が伝播プロセスにおいて受ける経路損失及び伝播遅延も、第２信号が伝播プロセスにおいて受ける経路損失及び伝播遅延に大いに関係があると考えられ得る。従って、第１信号と第２信号との間の対応も、第２信号の経路損失及び伝播損失を決定するためにＵＥによって使用され得る。
【０２４０】
任意に、第１信号は、非ゼロ電力参照信号を含む。
【０２４１】
任意に、第１信号に含まれる非ゼロ電力参照信号は、チャネル状態情報を得るために使用される非ゼロ電力参照信号、復調のために使用される非ゼロ電力参照信号、ビーム管理のために使用される非ゼロ電力参照信号、同期信号、並びに時間及び周波数の同期及び追跡のために使用される追跡参照信号tracking  RSのうちの少なくとも１つである。例えば、ＬＴＥシステムでは、チャネル状態情報を得るために使用される参照信号は、チャネル状態情報参照信号（channel  state  information-reference  signal，ＣＳＩ−ＲＳ）であってよく、復調のために使用される参照信号は、復調参照信号（demodulation  reference  signal，ＤＭＲＳ）であってよい。ＮＲシステムでは、チャネル状態情報を得るために使用される参照信号はＣＳＩ−ＲＳであってよく、あるいは、チャネル状態情報を得る機能を有する他の参照信号であってよく、復調のために使用される参照信号はＤＭＲＳであってよく、あるいは、復調の機能を有する他の参照信号であってよく、ビーム管理のために使用される参照信号は、ビーム管理参照信号（beam  management  reference  signal，ＢＭＲＳ）であってよく、ビーム管理のために使用される参照信号は、ビームのラージスケール特性を測定するために使用され、更には、ビーム掃引、アライメント、及び変更のために使用されてよい。例えば、ラージスケール特性の中の利得が測定され、最大利得を有するビーム対が一対のビームとして使用される。
【０２４２】
任意に、第２信号は、参照信号を含む。参照信号は、非ゼロ電力参照信号であってよく、あるいは、ゼロ電力参照信号であってよい。
【０２４３】
任意に、第２信号に含まれる参照信号は、復調のために使用される参照信号及びアップリンクチャネル測定のために使用される参照信号のうちの少なくとも１つである。例えば、ＬＴＥシステムでは、復調のために使用される参照信号はＤＭＲＳであってよく、アップリンクチャネル測定のために使用される参照信号は、サウンディング基準信号（sounding  reference  signal，ＳＲＳ）であってよい。ＮＲシステムでは、復調のために使用される参照信号はＤＭＲＳであってよく、あるいは、復調の機能を有する他の参照信号であってよく、アップリンクチャネル測定のために使用される参照信号はＳＲＳであってよく、あるいは、アップリンクチャネル測定の機能を有する他の参照信号であってよい。
【０２４４】
本願の可能な実施において、ＵＥは、第１信号の受信電力に基づきアップリンク信号（第２信号及び／又は第２信号に関連する信号を含む。）の送信電力を決定し、その送信電力を使用してアップリンク信号を送信し得る。
【０２４５】
第２信号に関連する信号は、信号のアンテナ・ポート（略してポート、portと呼ばれる。）と第２信号のアンテナ・ポートとの間の非空共通集合を有する信号を含んでよく、ここで、信号は、第２信号とは異なるアップリンクデータ信号、及び／又はアップリンク制御信号、及び／又は参照信号であってよい。
【０２４６】
任意に、第２信号に関連する信号に対して、信号と第２信号との間の関係は、明示的な指示方法で示され得る。例えば、基地局は、信号が第２信号に関連する信号であることを示すＵＥへのシグナリングを送信する。
【０２４７】
具体的に、本願は、通信方法を提供する。方法は、次のステップを含んでよい。
【０２４８】
Ｓ８０１．基地局は、第１信号の送信電力を示すために使用される情報をＵＥへ送る。
【０２４９】
相応して、ＵＥは、第１信号の送信電力を示すために使用される情報を受ける。
【０２５０】
任意に、指示方法は、基地局が、ＲＲＣシグナリング内の情報要素を使用することによってＵＥへのシグナリングを送信することであってよく、ここで、シグナリングは、第１信号の送信電力を示す。
【０２５１】
任意に、送信電力は、基地局の送信電力である。
【０２５２】
Ｓ８０２．ＵＥは、第１信号を受信し、第１信号の受信電力を測定及び取得する。
【０２５３】
任意に、ＵＥは、フィルタ処理された受信電力を第１信号の受信電力として得るよう、時間窓内の第１信号の受信電力に対して平滑化フィルタリングを実行してよい。
【０２５４】
第１信号がチャネル状態情報を得るために使用されるＣＳＩ−ＲＳであるとき、受信電力は、ＣＳＩ−ＲＳ受信電力（ＲＳＲＰ，reference  signal  received  power）とも呼ばれ得る。
【０２５５】
Ｓ８０３．ＵＥは、基地局によって通知される第１信号の送信電力と、第１信号の受信電力とに基づき、第１信号の経路損失を求める。
【０２５６】
任意に、第１信号の受信電力は、参照信号受信電力であってよい。
【０２５７】
任意に、経路損失は、フィルタ処理された参照信号受信電力を送信電力から減じることによって求められる差に等しい。
【０２５８】
Ｓ８０４．ＵＥは、経路損失又は経路損失に関係がある開ループ制御パラメータに基づきアップリンク送信電力を決定し、アップリンク送信電力を使用してアップリンク信号を送信する。アップリンク信号を送信するためにアップリンク送信電力を使用することは、任意であってよい。
【０２５９】
アップリンク信号は、第２信号及び／又は第２信号に関連する信号を含む。任意に、ＵＥは、第１信号と第２信号及び／又は第２信号に関連する信号との間の対応を得る。ステップ５ｃ、５ｄ、及び５ｂの少なくとも１つは、対応を得るために実行されてよい。
【０２６０】
第２信号に関連する信号は、信号のアンテナ・ポート（略してポート、portと呼ばれる。）と第２信号のアンテナ・ポートとの間の非空共通集合を有する信号を含んでよく、ここで、信号は、アップリンクデータ信号、及び／又はアップリンク制御信号、及び／又は第２信号とは異なる参照信号であってよい。例えば、第２信号はＳＲＳであり、ＳＲＳはポート１２などのただ１つのポートしか有さないが、ＰＵＳＣＨはポート９から１２などの４つのポートを有する。ＳＲＳのポートがＰＵＳＣＨの４つのポートのうちの１つを有するので、ＰＵＳＣＨは、第２信号に関連する信号と見なされ得る。他の例として、第２信号はＳＲＳであり、ＳＲＳはポート１０及びポート１２などの２つのポートを有するが、ＰＵＳＣＨはポート７、９、１１、及び１２などの４つのポートを有する。ＳＲＳのアンテナ・ポートとＰＵＳＣＨのアンテナ・ポートとの間には共通集合、すなわち、ポート１２が存在するので、ＰＵＳＣＨは、第２信号に関連する信号と見なされ得る。
【０２６１】
第２信号に関連する信号及び第２信号は、通常は、同じ又は近似的な空間情報を使用することによって送信される信号である。
【０２６２】
任意に、第２信号に関連する信号に対して、信号と第２信号との間の関係は、明示的な指示方法で示され得る。例えば、基地局は、信号が第２信号に関連する信号であることを示すＵＥへのシグナリングを送信する。
【０２６３】
通常は、ＵＥは、開ループ制御パラメータ、閉ループ制御パラメータ、基地局によって期待される公称電力密度、信号帯域幅、及び最大電力限界のうちの１つ以上に基づき、アップリンク送信電力を取得し得る。開ループ制御パラメータは、上記の経路損失を含み得る。
【０２６４】
これは、送信電力にＵＥによって経路損失を補償することと等価であり、それにより、伝播プロセスにおいて経路損失を受けるアップリンク信号（例えば、第２信号）の信号品質は、基地局の復調要件を満足することができる。
【０２６５】
任意に、経路損失補償は、経路損失と係数（補償係数、経路損失補償係数、因子、補償因子、又は経路損失補償因子とも呼ばれる。）との積によって反映され得る。係数は、非負数であってよく、ＵＥのために基地局によって設定され、ここで、設定は、セル固有（cell-specific）又はＵＥ特有（UE-specific）であってよい。係数が１と設定されるとき、ＵＥは、第１信号の全ての測定される経路損失により第２信号の送信電力を補償し、係数が０と設定されるとき、ＵＥは如何なる経路損失も補償せず、係数が１未満として設定されるとき、ＵＥは、第１信号の測定される経路損失の一部により第２信号の送信電力を補償し、基地局が１未満である補償係数を設定するこの場合において、他のユーザへの干渉は、第２信号が受信されるとき低減され得、あるいは、係数が１よりも大きく設定されるとき、ＵＥは、第１信号の測定される経路損失により過度に第２信号の送信電力を補償する。基地局は、１よりも大きい補償係数を設定し、これは、基地局側でのビームフォーミングとＵＥ側でのビームフォーミングとの間の非対称性を補償し得る。具体的に、基地局によって送信及び受信されるビームフォーミング信号のエネルギは、放射パターン上でより集中し、メインローブはより狭い。しかし、ＵＥのアンテナ構成は基地局のそれらよりも大規模でないので、ＵＥによって送信及び受信されるビームフォーミング信号のエネルギは、放射パターン上でより散乱し、メインローブはより広い。これは、空間におけるダウンリンク信号のエネルギの集中分布を引き起こす。ＵＥは、広幅ビームを使用することによって挟ビームを受信することができ、ダウンリンク信号をより良く受信することができるが、基地局は、挟ビームを使用することによって、ＵＥによって送信される広幅アップリンクビームを受信し、いくらかのエネルギが失われる。従って、基地局は、ＵＥのために、１よりも大きい補償係数を設定し、それにより、ＵＥは、上記の理由によって引き起こされる損失を補償することができる。
【０２６６】
結論として、ＵＥは、第１信号の経路損失（path  loss，ＰＬ）を得るために第１信号の受信電力を測定し、第１信号の経路損失に基づき第２信号に経路損失を補償し得る。ＵＥは、alpha×ＰＬにより第２信号の送信電力を補償し、ここで、alphaは経路損失補償因子である。経路損失補償を行った後、ＵＥは、最大送信電力限界を満足する送信電力を使用することによって、第２信号を基地局へ送信する。経路損失補償因子は、プロトコルによって指定されるか、又はローカルで前もって構成若しくは前もって記憶されてよく、あるいは、基地局によって設定されてよい。
【０２６７】
本願の他の可能な実施では、ＵＥは、第１信号の受信時間に基づきアップリンク信号の送信時間を決定及び／又は調整し得る。
【０２６８】
アップリンク信号は、第２信号及び／又は第２信号に関連する信号を含む。
【０２６９】
第１信号、第２信号、第２信号に関連する信号、及びアップリンク信号に関する記載については、上記の方法における記載を参照されたい。
【０２７０】
具体的に、本願は、通信方法を提供する。方法は、次のステップを含んでよい。
【０２７１】
Ｓ９０１．基地局は、少なくとも２つの第１信号をＵＥへ送信する。
【０２７２】
相応して、ＵＥは、基地局から第１信号を受信する。
【０２７３】
任意に、少なくとも２つの第１信号は同じコンフィグレーション情報を有し、コンフィグレーション情報は、ダウンリンク信号によって使用されるアンテナポート、時間−周波数リソース位置、及びダウンリンク信号が位置するリソースの識別子のうちの少なくとも１つを示すために使用され得る。
【０２７４】
Ｓ９０２．ＵＥは、少なくとも２つの第１信号に基づき第１信号の伝播遅延の変動を決定する。
【０２７５】
任意に、第１信号の伝播遅延の変動は、少なくとも２つの第１信号の受信時間の関数、例えば、少なくとも２つの第１信号の中の２つの第１信号の受信時間の間の差、又は複数の差の平均値であってよい。
【０２７６】
本願では、受信時間は、信号が受信される、ＵＥによって決定される時間である。受信時間と、信号が実際に到着する時間との間には、偏差が存在することがある。例えば、受信時間は量子化された時間であり、受信時間は受信タイミングとも呼ばれ得る。
【０２７７】
Ｓ９０３．ＵＥは、第１信号の伝播遅延の変動に基づきアップリンク信号の送信時間を決定及び／又は調整する。
【０２７８】
任意に、ＵＥは、第１信号の伝播遅延の変動（変化又はオフセット（offset）とも呼ばれる。）に基づきアップリンク送信タイミングアドバンス（ＴＡ）を調整してよい。アップリンク信号の送信時間はタイミングアドバンスに関係があるので、これは、ＵＥによってアップリンク信号の送信時間を調整することと等価である。
【０２７９】
任意に、調整されたＴＡ＝調整されていないＴＡ＋オフセット。オフセットは、正の値又は負の値であってよい。
【０２８０】
Ｓ９０４．ＵＥは、アップリンク信号の送信時間に基づきアップリンク信号を送信する。
【０２８１】
一般に、アップリンク信号の送信時間は、基地局によって決定され得る。基地局は、ＵＥによって送信される信号、例えば、プリアンブル信号preamble、アップリンクチャネルサウンディング信号ＳＲＳ、又は復調のために使用されるアップリンク専用信号ＤＭＲＳを使用することによって、ＵＥによって送信される信号が伝播プロセスにおいて受ける伝播遅延を決定し得る。基地局は、信号の伝播遅延を測定することによって、ＵＥによってアップリンク信号を送信するための時間調整を決定することができ、ここで、時間調整は、アップリンクタイミングアドバンスによって示され得る。タイミングアドバンス指示を使用することによって、基地局は、ＵＥによって送信され、伝播プロセスにおいて伝播遅延を受ける信号が、基地局によって期待される時間に基地局に到着することができることを予想し、それにより、セル内の他のＵＥへの干渉は低減される。具体的に、基地局は、ＵＥが時間−周波数領域及び空間領域において互いと直交するように、ＵＥによってアップリンク信号を送信する時間を調整することができる。複数のＵＥが時間−周波数領域において互いと直交する場合に、ＵＥによって送信される信号が基地局に到着する時間が、複数のＵＥの中の他のＵＥによって送信される信号が基地局に到着する時間と重なり合うならば、同じ時間に直交すべきであるＵＥは互いに重なり合って、干渉を引き起こす。従って、ＵＥによって送信されるアップリンク信号は、基地局によって期待される遅延要件を満足すべきである。
【０２８２】
基地局が媒体アクセス制御（ＭＡＣ）レイヤ情報要素を使用することによってタイミングアドバンスをＵＥに通知する場合に、ＭＡＣレイヤ情報要素の２つの伝送の間には時間が必要とされる。基地局によって配信されるタイミングアドバンス通知が受け取られない場合に、ＵＥ自体が、ダウンリンク信号（第１信号）の受信時間に基づきタイミングアドバンスを調整及び更新し得る。具体的に、ＵＥは、ダウンリンク信号の受信タイミング間の差を得るよう２つの第１信号の受信タイミング間の時間差を測定し、ダウンリンク信号が受ける伝播遅延の変化を推測し、伝播遅延の変化を使用してアップリンク送信タイミングアドバンスを調整し得る。
【０２８３】
Ｓ９０４で、ＵＥは、アップリンク信号の送信時間に基づき、送信時間に対応する時間領域単位の第２信号を送信することができ、ここで、時間領域単位は、サブフレーム、タイムスロット（slot）、シンボル（例えば、ＯＦＤＭシンボル）、又はミニ・タイムスロット（minislot）のうちの１つ以上であってよい。
【０２８４】
任意に、アップリンク送信タイミングアドバンスを調整した後、ＵＥは、保持又は記憶されたアップリンク送信タイミングアドバンスを更新してよい。
【０２８５】
更に、任意に、ＵＥは、アップリンク送信タイミングアドバンス、例えば、調整されたアップリンク送信タイミングアドバンスを報告してよい。代替的に、ＵＥは、アップリンク送信タイミングアドバンスに関する情報を報告してよく、ここで、情報は、アップリンク送信タイミングアドバンスに対応する関数の値である。ＵＥが複数のアップリンクタイミングアドバンスを保持する必要がある場合に、ＵＥは、複数のアップリンクタイミングアドバンス、又はアップリンク送信タイミングアドバンスに関する複数の情報片、又は複数のアップリンク送信タイミングアドバンスに関する情報を報告してよい。具体的に、ＵＥは、複数のアップリンクタイミングアドバンスのうちの少なくとも２つの間の差、又は差の関数を報告してよい。差の関数は、時間領域の差と、時間領域の差に対応する周波数領域の位相オフセットとの間のＦＦＴ／ＩＦＦＴ関数であってよい。ＵＥは、第１ネットワークデバイス及び第２ネットワークデバイスのうちの少なくとも一方へ、第１ネットワークデバイス及び第２ネットワークデバイスのうちの少なくとも一方に対応するアップリンク信号のアップリンク送信タイミングアドバンス、又はアップリンク送信タイミングアドバンスに関する情報を報告してよい。ＵＥによって報告されるアップリンク送信タイミングアドバンス、又はアップリンク送信タイミングアドバンスに関する情報と、第１ネットワークデバイスに対応する第１信号、及び／又は第２ネットワークデバイスに対応する第１信号との間には、対応が存在する。
【０２８６】
例えば、第１時間領域単位ｓｌｏｔ１及び第２時間領域単位ｓｌｏｔ２において、ＵＥは、ｓｌｏｔ１及びｓｌｏｔ２の第１信号を受信する。ｓｌｏｔ１は第１時間領域単位の例であり、ｓｌｏｔ２は第２時間領域単位の例である。ダウンリンク信号を受信するとき、ＵＥは、ｓｌｏｔ１の第１信号の到着タイミングｔ１及びｓｌｏｔ２の第１信号の到着時間ｔ２を得るよう、パイロットなどの物理信号の位置に基づき同期タイミングを実行してよい。ＵＥは、ｔ１とｔ２との間の時間差に基づきダウンリンク信号の伝播遅延の変化を得ることができる。例えば、時間領域単位ｓｌｏｔの存続期間は、ｔ０、例えば、ｔ０＝０．５ｍｓであってよい。ｓｌｏｔ１からｓｌｏｔ２までにはＮ個のｓｌｏｔ存続期間があり、ここで、Ｎは、ｓｌｏｔ１とｓｌｏｔ２との間の時間領域単位の数である。ＵＥは、ｔ２−ｔ１−Ｎ×ｔ０を計算した結果に基づき、第１信号のダウンリンク伝播遅延がｓｌｏｔ１からｓｌｏｔ２まででどれくらい変化するかを求めることができる。通常は、基地局は、タイミングアドバンスコマンド（timing  advance  command）を送信して、アップリンク信号を送信するために必要なタイミングアドバンスをＵＥに通知し、そして、ＵＥは、対応するタイミングアドバンスＴＡを記録及び保持すべきである。ＵＥがタイミングアドバンスコマンドを受け取らなかった場合に、ＵＥは、第１信号の伝播遅延の変化に基づき、現在保持されているＴＡを調整し得る。調整されたＴＡは、調整されていないＴＡに第１信号の伝播遅延の変動を足したものに等しい。ＵＥはＴＡを調整し、調整されたＴＡに基づき第２信号を送信する。
【０２８７】
上記の方法に基づき、図６に示されるように、本発明の実施形態は、信号伝送装置を更に提供し、ここで、装置は無線デバイス１０であってよい。無線デバイス１０は、上記の方法における第１無線ネットワークデバイス又は第２無線ネットワークデバイスに対応し得る。第１無線ネットワークデバイスは基地局（例えば、ＴＲＰ）であってよく、あるいは、他のデバイスであってよく、ここで制限されない。第２無線ネットワークデバイスは基地局（例えば、ＴＲＰ）であってよく、あるいは、他のデバイスであってよく、ここで制限されない。
【０２８８】
装置は、プロセッサ１１０、メモリ１２０、バスシステム１３０、受信器１４０、及び送信器１５０を含んでよい。プロセッサ１１０、メモリ１２０、受信器１４０、及び送信器１５０は、バスシステム１３０によって接続されている。メモリ１２０は、命令を記憶するよう構成される。プロセッサ１１０は、メモリ１２０に記憶されている命令を実行して、信号を受信するように受信器１４０を制御し且つ信号を送信するように送信器１５０を制御し、上記の方法における第１無線ネットワークデバイス（例えば、基地局）及び第２無線ネットワークデバイスのステップを完了するよう構成される。受信器１４０及び送信器１５０は、同じ物理エンティティ又は異なる物理エンティティであってよい。受信器１４０及び送信器１５０が同じ物理エンティティである場合に、それらは集合的にトランシーバと呼ばれることがある。メモリ２２０は、プロセッサ２１０に組み込まれてよく、あるいは、プロセッサ２１０とは別個に配置されてよい。
【０２８９】
実施において、受信器１４０及び送信器１５０の機能は、トランシーバ回路又は専用のトランシーバチップによって実装されることが考えられ得る。プロセッサ１１０は、専用のプロセッシングチップ、プロセッシング回路、プロセッサ、又は汎用チップによって実装されることが考えられ得る。
【０２９０】
他の実施では、本発明のこの実施形態によって提供される無線デバイスは、汎用コンピュータを使用することによって実装されることが考えられ得る。具体的に言えば、プロセッサ１１０、受信器１４０、及び送信器１５０の機能のプログラムコードは、メモリに記憶され、汎用プロセッサは、メモリ内のコードを実行することによってプロセッサ１１０、受信器１４０、及び送信器１５０の機能を実装する。
【０２９１】
本発明のこの実施形態によって提供され、装置及び他のステップで使用される技術的解決法に関する概念、説明、及び詳細な記載については、上記の方法又は他の実施形態における内容に関する記載を参照されたい。詳細は、ここで再度記載されない。
【０２９２】
上記の方法に基づき、図７に示されるように、本発明の実施形態は、他の信号伝送装置を更に提供し、ここで、装置は無線デバイス２０であってよい。無線デバイス２０は、上記の方法におけるユーザ機器に対応する。
【０２９３】
装置は、プロセッサ２１０、メモリ２２０、バスシステム２３０、受信器２４０、及び送信器２５０を含んでよい。プロセッサ２１０、メモリ２２０、受信器２４０、及び送信器２５０は、バスシステム２３０によって接続されている。メモリ２２０は、命令を記憶するよう構成される。プロセッサ２１０は、メモリ２２０に記憶されている命令を実行して、信号を受信するように受信器２４０を制御し且つ信号を送信するように送信器２５０を制御するよう、そして、上記の方法におけるユーザ機器のステップを完了するよう構成される。受信器２４０及び送信器２５０は、同じ物理エンティティ又は異なる物理エンティティであってよい。受信器２４０及び送信器２５０が同じ物理エンティティである場合に、それらは集合的にトランシーバと呼ばれることがある。メモリ２２０は、プロセッサ２１０に組み込まれてよく、あるいは、プロセッサ２１０とは別個に配置されてよい。
【０２９４】
実施において、受信器２４０及び送信器２５０の機能は、トランシーバ回路又は専用のトランシーバチップによって実装されることが考えられ得る。プロセッサ２１０は、専用のプロセッシングチップ、プロセッシング回路、プロセッサ、又は汎用チップによって実装されることが考えられ得る。
【０２９５】
他の実施では、本発明のこの実施形態によって提供される無線デバイスは、汎用コンピュータを使用することによって実装されることが考えられ得る。具体的に言えば、プロセッサ２１０、受信器２４０、及び送信器２５０の機能のプログラムコードは、メモリに記憶され、汎用プロセッサは、メモリ内のコードを実行することによってプロセッサ２１０、受信器２４０、及び送信器２５０の機能を実装する。
【０２９６】
本発明のこの実施形態によって提供され、装置及び他のステップで使用される技術的解決法に関する概念、説明、及び詳細な記載については、上記の方法又は他の実施形態における内容に関する記載を参照されたい。詳細は、ここで再度記載されない。
【０２９７】
本発明の実施形態によって提供される方法に基づき、本発明の実施形態は通信システムを更に提供し、ここで、通信システムは、上記の第１無線ネットワークデバイス及び第２無線ネットワークデバイスを含み、更には、上記のユーザ機器の１つ以上を含んでよい。
【０２９８】
本発明の実施形態において、プロセッサ１１０又は２１０は、中央演算処理装置（Central  Processing  Unit，略してＣＰＵ）であってよく、あるいは、プロセッサは、他の汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）、又は他のプログラム可能論理デバイス、ディスクリート・ゲート若しくはトランジスタ論理デバイス、ディスクリート・ハードウェア部品、などであってよいことが理解されるべきである。汎用プロセッサは、マイクロプロセッサであってよく、あるいは、プロセッサは、如何なる従来のプロセッサなどであってもよい。
【０２９９】
メモリ１２０又は２２０は、リード・オンリー・メモリ及びランダム・アクセス・メモリを含み、命令及びデータをプロセッサ３１０へ供給し得る。メモリの一部は、不揮発性ランダム・アクセス・メモリを更に含んでよい。例えば、メモリは、デバイスタイプの情報を更に記憶し得る。
【０３００】
バスシステム１３０又は２３０は、データバスに加えて、電力バス、制御バス、ステータス信号バス、などを更に含んでよい。しかし、明りょうな記載のために、図では様々なタイプのバスがバスシステムと表記される。
【０３０１】
実施プロセスにおいて、上記の方法におけるステップは、プロセッサ１１０又は２１０内のハードウェア集積論理回路を使用することによって、又はソフトウェアの形で命令を使用することによって、実装され得る。本発明の実施形態を参照して開示される方法のステップは、ハードウェア・プロセッサによって直接実行されてよく、あるいは、プロセッサ内のハードウェアとソフトウェア・モジュールとの組み合わせを使用することによって実行されてよい。ソフトウェア・モジュールは、ランダム・アクセス・メモリ、フラッシュ・メモリ、リード・オンリー・メモリ、プログラム可能リード・オンリー・メモリ、電気的消去可能なプログラム可能メモリ、又はレジスタなどの、当該技術における成熟した記憶媒体に配置されてよい。記憶媒体はメモリに配置され、プロセッサはメモリ内の情報を読み出し、プロセッサのハードウェアと組み合わせて上記の方法におけるステップを完了する。繰り返しを避けるために、詳細は、再びここで記載されない。
【０３０２】
また、本明細書中の語「第１」、「第２」、「第３」、「第４」、及び様々な数は、記載の容易のためだけに区別するのに使用され、本発明の実施形態の適用範囲を制限しないよう意図されることも理解されるべきである。
【０３０３】
本明細書中の語「及び／又は」は、関連する事物を記載するための関連関係のみを記載し、３つの関係が存在し得ることを表す。例えば、Ａ及び／又はＢは、次の３つの場合：Ａのみが存在する、Ａ及びＢの両方が存在する、及びＢのみが存在する、を表すことができる。その上、本明細書中の文字「／」は、関連する事物の間の“論理和”関係を一般的に示す。
【０３０４】
上記のプロセスの順序番号は、本願の様々な実施形態における実行順序を意味しないことが理解されるべきである。プロセスの実行順序は、プロセスの内部ロジック及び機能に従って決定されるべきであり、本発明の実施形態の実施プロセスに対する如何なる制限としても解釈されるべきではない。
【０３０５】
当業者は、本明細書中で開示される実施形態で記載される例と組み合わせて、ユニット及びアルゴリズムステップが電子ハードウェア又はコンピュータ・ソフトウェアと電子ハードウェアとの組み合わせによって実装され得ると認識し得る。機能がハードウェア又はソフトウェアによって実行されるかどうかは、技術的解決法の設計制約及び特定の用途に依存する。当業者は、記載される機能を夫々の特定の用途のために実施するよう異なる方法を使用してよいが、実施が本願の適用範囲を越えることは考えられるべきではない。
【０３０６】
便宜上及び簡潔な記載のために、上記のシステム、装置、及びユニットの詳細な作動プロセスについては、上記の方法実施形態における対応するプロセスが参照されてよく、詳細は、再度ここで記載されないことが当業者によって明りょうに理解され得る。
【０３０７】
本願で与えられるいくつかの実施形態で、開示されるシステム、装置、及び方法は、他の様態で実施されてよいことが理解されるべきである。例えば、記載される装置実施形態は、一例にすぎない。例えば、ユニット分割は、単に、論理的な機能分割であり、実際の実施では他の分割であってよい。例えば、複数のユニット又はコンポーネントは、他のシステムに結合又は一体化されてよく、あるいは、いくつかの特徴は、無視されるか又は実行されなくてよい。その上、表示又は議論される相互結合又は直接的な結合若しくは通信接続は、いくつかのインターフェイスを使用することによって実施されてよい。装置又はユニット間の間接的な結合又は通信接続は、電子的な、機械的な、又は他の形態で実施されてよい。
【０３０８】
別個の部分として記載されるユニットは、物理的に別個であっても又はなくてもよく、ユニットとして表示される部分は、物理ユニットであっても又はなくてもよく、一個所に配置されてよく、あるいは、複数のネットワークユニットに分配されてよい。ユニットの一部又は全ては、実施形態の解決法の目的を達成するよう、実際の要件に基づき選択されてよい。
【０３０９】
その上、本願の実施形態における機能ユニットは、１つの処理ユニットに一体化されてよく、あるいは、ユニットの夫々は、物理的に単独で存在してよく、あるいは、２つ以上のユニットが１つのユニットに一体化されてよい。
【０３１０】
機能がソフトウェア機能ユニットの形で実施され、独立した製品として販売又は使用される場合に、機能は、コンピュータ可読記憶媒体に記憶されてよい。かような理解に基づき、本願の技術的解決法は本質的に、又は先行技術に寄与する部分、又は技術的解決法のいくつかは、ソフトウェア製品の形で実施されてよい。コンピュータソフトウェア製品は、記憶媒体に記憶され、コンピュータ装置（パーソナル・コンピュータ、サーバ、ネットワークデバイスであってよい。）に、本願の実施形態で記載される方法のステップの全部又は一部を実行するよう指示するいくつかの命令を含む。上記の記憶媒体は、ＵＳＢフラッシュ・ドライブ、リムーバブル・ハード・ディスク、リード・オンリー・メモリ（Read-Only  Memory，ＲＯＭ）、ランダム・アクセス・メモリ（Random  Access  Memory，ＲＡＭ）、磁気ディスク、又は光ディスクのような、プログラムコードを記憶することができる如何なる媒体も含む。
【０３１１】
上記の記載は、本願の具体的な実施にすぎず、本願の保護範囲を制限する意図はない。本願で開示される技術的範囲内で当業者によって容易に想到される如何なる変形又は置換も、本願の保護範囲内にあるべきである。従って、本願の保護範囲は、特許請求の範囲の保護範囲に従うべきである。
【図１】
2020506583.tif 000010
【図２】
2020506583.tif 000011
【図３ａ】
2020506583.tif 000012
【図３ｂ】
2020506583.tif 000013
【図４】
2020506583.tif 000014
【図５ａ】
2020506583.tif 000015
【図５ｂ】
2020506583.tif 000016
【図５ｃ】
2020506583.tif 000017
【図５ｄ】
2020506583.tif 000018
【図６】
2020506583.tif 000019
【図７】
2020506583.tif 000020
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
信号伝送方法であって、
第２無線ネットワークデバイスから第２インジケーション情報を受信し、該第２インジケーション情報は、第１信号が第２信号の空間情報のための基準であることを示すために使用され、前記第２無線ネットワークデバイスは、第１無線ネットワークデバイスと同じか又はそれとは異なる、ことと、
前記第１無線ネットワークデバイスから前記第１信号を受信することと、
送信されるべき第２信号の空間情報を前記第１信号に基づき決定することと
を有する方法。
【請求項２】
送信されるべきアップリンク信号の送信電力を前記第１信号の受信電力に基づき決定し、前記アップリンク信号は、前記第２信号及び／又は該第２信号に関連する信号を有する、こと、及び／又は
前記第１信号の受信時間の変化に基づきアップリンク伝送タイミングアドバンスを調整し、該調整されたアップリンク伝送タイミングアドバンスに基づきアップリンク信号を送信し、該アップリンク信号は、前記第２信号及び／又は該第２信号に関連する信号を有する、こと
を更に有する、
請求項１に記載の方法。
【請求項３】
前記第２信号に関連する前記信号は、アップリンクデータ信号を有する、
請求項２に記載の方法。
【請求項４】
前記第２信号の前記空間情報は、前記第２信号に関連する前記信号の空間情報を決定するために更に使用される、
請求項２又は３に記載の方法。
【請求項５】
送信されるべきアップリンク信号の送信電力を前記第１信号の受信電力に基づき決定することは、
前記第１信号の送信電力を示すために使用される情報を受信し、該情報は、ＲＲＣシグナリング内の情報要素において運ばれる、ことと、
前記第１信号を受信し、該第１信号の受信電力を測定及び取得することと、
前記第１信号の前記受信電力と、前記第１信号の前記送信電力を示す前記情報によって示される前記第１信号の前記送信電力とに基づき、前記第１信号の経路損失を求め、該経路損失は、前記送信電力とフィルタ処理された参照信号受信電力との間の差に等しい、ことと、
前記経路損失又は該経路損失に関する開ループ制御パラメータに基づき、前記アップリンク信号を送信するために使用される送信電力を決定することと
を有する、
請求項２乃至４のうちいずれか一項に記載の方法。
【請求項６】
送信されるべき第２信号の空間情報を前記第１信号に基づき決定することは、
前記送信されるべき第２信号の前記空間情報を前記第１信号の空間情報に基づき決定すること
を有する、
請求項１乃至５のうちいずれか一項に記載の方法。
【請求項７】
信号伝送方法であって、
第２インジケーション情報を端末デバイスへ送信し、該第２インジケーション情報は、第１信号が第２信号の空間情報のための基準であることを示すために使用される、ことと、
前記第１信号を前記端末デバイスへ送信することと、
前記端末デバイスから前記第２信号を受信し、前記第１信号は前記第２信号の空間情報のための基準である、ことと
を有する方法。
【請求項８】
前記第１信号が前記第２信号の空間情報のための基準であることは、前記第１信号の空間情報が前記第２信号の前記空間情報のための基準であることを有する、
請求項７に記載の方法。
【請求項９】
前記第１信号は、チャネル状態情報を得るために使用される非ゼロ電力参照信号、復調のために使用される非ゼロ電力参照信号、ビーム管理のために使用される非ゼロ電力参照信号、同期信号、並びに時間及び周波数同期及び追跡のために使用される追跡参照信号（tracking  RS）のうちの少なくとも１つを有する、
請求項１乃至８のうちいずれか一項に記載の方法。
【請求項１０】
前記第２信号は、アップリンク参照信号、アップリンクデータ信号、及びアップリンク制御信号のうちの少なくとも１つを有する、
請求項１乃至９のうちいずれか一項に記載の方法。
【請求項１１】
前記第２インジケーション情報は、無線リソース制御（ＲＲＣ）シグナリングで運ばれる、
請求項１乃至１０のうちいずれか一項に記載の方法。
【請求項１２】
信号伝送方法であって、
第１無線ネットワークデバイスから第１信号を受信することと、
送信されるべきアップリンク信号の送信電力を前記第１信号の受信電力に基づき決定することと
を有し、
前記アップリンク信号は、第２信号及び／又は該第２信号に関連する信号を有し、
前記第２信号の空間情報は、前記第１信号の空間情報に関係がある、
方法。
【請求項１３】
前記第２信号は、アップリンク参照信号、アップリンクデータ信号、及びアップリンク制御信号のうちの少なくとも１つを有する、
請求項１２に記載の方法。
【請求項１４】
送信されるべきアップリンク信号の送信電力を前記第１信号の受信電力に基づき決定することは、
前記第１信号の送信電力を示すために使用される情報を受信し、該情報は、ＲＲＣシグナリング内の情報要素において運ばれる、ことと、
前記第１信号を受信し、該第１信号の前記受信電力を測定及び取得することと、
前記第１信号の前記受信電力と、前記第１信号の前記送信電力を示す前記情報によって示される前記第１信号の前記送信電力とに基づき、前記第１信号の経路損失を求め、該経路損失は、前記送信電力と、フィルタ処理された参照信号の受信電力との間の差に等しい、ことと、
前記経路損失又は該経路損失に関連した開ループ制御パラメータに基づき、前記アップリンク信号を送信するために使用される送信電力を決定することと
を有する、
請求項１２又は１３に記載の方法。
【請求項１５】
信号伝送方法であって、
第１無線ネットワークデバイスから第１信号を受信することと、
前記第１信号の受信時間の変化に基づきアップリンク伝送タイミングアドバンスを調整することと、
前記調整されたアップリンク伝送タイミングアドバンスに基づきアップリンク信号を送信することと
を有し、
前記アップリンク信号は、第２信号及び／又は該第２信号に関連する信号を有し、
前記第２信号の空間情報は、前記第１信号の空間情報に関係がある、
方法。
【請求項１６】
第２無線ネットワークデバイスから第２インジケーション情報を受けることを更に有し、
前記第２インジケーション情報は、前記第１信号が前記第２信号の前記空間情報のための基準であることを示すために使用され、
前記第２無線ネットワークデバイスは、前記第１無線ネットワークデバイスと同じであるか又はそれとは異なる、
請求項１２乃至１５のうちいずれか一項に記載の方法。
【請求項１７】
前記第２インジケーション情報は、無線リソース制御（ＲＲＣ）シグナリングで運ばれる、
請求項１６に記載の方法。
【請求項１８】
前記第１信号は、チャネル状態情報を得るために使用される非ゼロ電力参照信号、復調のために使用される非ゼロ電力参照信号、ビーム管理のために使用される非ゼロ電力参照信号、同期信号、並びに時間及び周波数同期及び追跡のために使用される追跡参照信号（Tracking  RS）のうちの少なくとも１つを有する、
請求項１２乃至１７のうちいずれか一項に記載の方法。
【請求項１９】
前記第２信号に関連する前記信号は、アップリンクデータ信号を有する、
請求項１２乃至１８のうちいずれか一項に記載の方法。
【請求項２０】
前記第２信号の前記空間情報は、前記第２信号に関連する前記信号の空間情報を決定するために更に使用される、
請求項１２乃至１９のうちいずれか一項に記載の方法。
【請求項２１】
プロセッサ、メモリ、及びトランシーバユニットを有し、
前記メモリは、命令を記憶するよう構成され、
前記プロセッサは、前記メモリに記憶されている前記命令を実行し、前記トランシーバユニットを、信号を受信及び送信するように制御するよう構成され、
前記プロセッサが前記メモリに記憶されている前記命令を実行するときに、請求項１乃至２０のうちいずれか一項に記載の方法が実施される、
信号伝送装置。
【請求項２２】
前記トランシーバユニットは、トランシーバ又は入出力インターフェイスである、
請求項２１に記載の装置。
【請求項２３】
請求項１乃至２０のうちいずれか一項に記載の方法を実行するよう構成される通信装置。
【請求項２４】
プロセッサによって実行されるときに、該プロセッサに、請求項１乃至２０のうちいずれ一項に記載の方法を実行させる、
プログラム。
【請求項２５】
第１無線ネットワークデバイスから第１信号を受信するよう構成されるモジュールと、
送信されるべき第２信号の空間情報を前記第１信号に基づき決定するよう構成されるモジュールと
を有する通信装置。
【請求項２６】
第１信号を端末デバイスへ送信するよう構成されるモジュールと、
前記端末デバイスから第２信号を受信するよう構成されるモジュールと
を有し、
前記第１信号は、前記第２信号の空間情報のための基準である、
通信装置。
【請求項２７】
請求項２５に記載の装置と、請求項２６に記載の装置とを有する通信システム。
【手続補正２】
【補正対象書類名】明細書
【補正対象項目名】００２８
【補正方法】変更
【補正の内容】
【００２８】
任意に、当該方法は、
前記ユーザ機器によって、送信されるべきアップリンク信号の送信電力を前記第１信号の受信電力に基づき決定することと、
前記ユーザ機器によって、前記第２信号及び／又は該第２信号に関連する信号を含む前記アップリンク信号を前記送信電力に基づき送信することと
を更に含み、且つ／あるいは、
前記ユーザ機器によって、前記第１信号の受信時間の変化に基づきアップリンク伝送タイミングアドバンスを調整することと、
前記ユーザ機器によって、前記第２信号及び／又は該第２信号に関連する信号を含むアップリンク信号を前記調整されたアップリンク伝送タイミングアドバンスに基づき送信することと
を更に含む。
【手続補正３】
【補正対象書類名】明細書
【補正対象項目名】００４５
【補正方法】変更
【補正の内容】
【００４５】
無線通信ネットワークは、無線通信機能を提供するネットワークである。無線通信ネットワークは、種々の通信テクノロジ、例えば、符号分割多重アクセス（Code  Division  Multiple  Access，ＣＤＭＡ）、広帯域符号分割多重アクセス（Wideband  Code  Division  Multiple  Access，ＷＣＤＭＡ）、時分割多重アクセス（Time  Division  Multiple  Access，ＴＤＭＡ）、周波数分割多重アクセス（Frequency  Division  Multiple  Access，ＦＤＭＡ）、直交周波数分割多重アクセス（Orthogonal  Frequency-Division  Multiple  Access，ＯＦＤＭＡ）、シングルキャリア周波数分割多重アクセス（Single  Carrier  Frequency-Division  Multiple  Access，ＳＣ−ＦＤＭＡ）、及び衝突回避付きキャリア感知多重アクセス（Carrier  Sense  Multiple  Access  with  Collision  Avoidance）を使用してよい。異なるネットワークの容量、レート、又は遅延といった因子に基づき、ネットワークは、２Ｇネットワーク、３Ｇネットワーク、４Ｇネットワーク、又は５Ｇネットワークのような将来の進化したネットワークに分類されてよい。典型的な２Ｇネットワークは、グローバル・システム・フォー・モバイル・コミュニケーションズ（Global  System  for  Mobile  Communications，ＧＳＭ）ネットワーク又は汎用パケット無線サービス（General  Packet  Radio  Service，ＧＰＲＳ）ネットワークを含む。典型的な３Ｇネットワークは、ユニバーサル・モバイル・テレコミュニケーションズ・システム（Universal  Mobile  Telecommunications  System，略してＵＭＴＳ）ネットワークを含む。典型的な４Ｇネットワークは、ロング・ターム・エボリューション（Long  Term  Evolution，ＬＴＥ）ネットワークを含む。時々、ＵＭＴＳネットワークは、ユニバーサル地上無線アクセス・ネットワーク（Universal  Terrestrial  Radio  Access  Network，ＵＴＲＡＮ）とも呼ばれ得る。時々、ＬＴＥネットワークは、進化型ユニバーサル地上アクセス・ネットワーク（Evolved  Universal  Terrestrial  Radio  Access  Network，Ｅ−ＵＴＲＡＮ）とも呼ばれる。異なるリソース割り当てモードに基づき、ネットワークは、セルラー通信ネットワーク及び無線ローカル・エリア・ネットワーク（Wireless  Local  Area  Networks，ＷＬＡＮ）に分類されてよく、ここで、セルラー通信ネットワークは、スケジューリングによって支配され、ＷＬＡＮは、コンテンションによって支配される。前述の２Ｇ、３Ｇ、及び４Ｇネットワークは全て、セルラー通信ネットワークである。当業者は、本発明の実施形態によって提供される技術的解決法が、４Ｇの後の無線通信ネットワーク、例えば、４．５Ｇ若しくは５Ｇネットワーク、又は他の非セルラー通信ネットワークに主として適用され得ることを知っておくべきである。簡潔さのために、時々、無線通信ネットワークは、本発明の実施形態で略してネットワークと呼ばれることがある。
【手続補正４】
【補正対象書類名】明細書
【補正対象項目名】００５０
【補正方法】変更
【補正の内容】
【００５０】
基地局（base  station，ＢＳ）デバイスは、基地局とも呼ばれ、無線アクセス・ネットワーク内に配置され、無線通信機能を提供するよう構成される装置である。例えば、２Ｇネットワークでは、基地局機能を提供するデバイスは、ベース無線トランシーバ局（base  transceiver  station，略してＢＴＳ）及び基地局コントローラ（base  station  controller，略してＢＳＣ）を含み、３Ｇネットワークでは、基地局機能を提供するデバイスは、ノードＢ（Node  B）及び無線ネットワーク・コントローラ（radio  network  controller，略してＲＮＣ）を含み、４Ｇネットワークでは、基地局機能を提供するデバイスは、進化型ノードＢ（evolved  Node  B，略してｅＮＢ）を含み、ＷＬＡＮでは、基地局機能を提供するデバイスは、アクセス・ポイント（access  point，略してＡＰ）である。将来の５Ｇニュー・ラジオ（New  Radio，略してＮＲ）において基地局機能を提供するデバイスは、更なる進化型ノードＢ（ｇＮＢ）、送受信点（transmission  and  reception  point，ＴＲＰ）、送信点（transmission  point，ＴＰ）、中継局（relay）、などを含む。ノードＢ、ＴＲＰ、及びＴＰは、ベースバンド処理部及び無線周波数部を含む装置であってよい。ＴＲＰ及びＴＰは、無線ユニット（radio  unit，ＲＵ）又は遠隔無線ユニット（remote  radio  unit，ＲＲＵ）であってよい。ＴＲＰは、ＮＲにおける一般名称であり、ＴＰは、ＬＴＥシステムにおける一般名称である。
【手続補正５】
【補正対象書類名】明細書
【補正対象項目名】００６６
【補正方法】変更
【補正の内容】
【００６６】
本発明の実施形態で、「情報」、「信号」、「メッセージ」、及び「チャネル」は、時々同義的に使用されることがある。表現される意味は、違いが強調されない場合に一致することが留意されるべきである。「〜の」、「対応する」、及び「関連する」は、時々同義的に使用されることがある。表現される意味は、違いが強調されない場合に一致することが留意されるべきである。
【手続補正６】
【補正対象書類名】明細書
【補正対象項目名】００８６
【補正方法】変更
【補正の内容】
【００８６】
しかし、アップリンクビーム対を決定するこの方法において、掃引及び測定は、複数回ＵＥとＴＲＰとの間で実行される必要がある。本願では、アップリンク送信ビームを決定する方法が提供される。具体的に、ビームの空間的な相互関係を使用することによって、アップリンク送信ビームの送信角度（angle  of  departure，ＡｏＤ）がダウンリンク受信ビームの到来角（angle  of  arrival，ＡｏＡ）に基づき推測され得ると定義される。すなわち、アップリンク送信ビームの送信角度は、ダウンリンク受信ビームの到来角に基づき決定され得、具体的には、アップリンク送信ビームの送信角度とダウンリンク受信ビームの到来角との間の関係に基づき決定され得る。例えば、関係は、アップリンク送信ビームの送信角度がダウンリンク受信ビームの到来角と同じであることであってよい。関係については、他の場合も存在し得ることが理解され得る。例えば、関係は、プロトコルによって前もって指定され、ＵＥ側で事前に記憶されてよく、あるいは、ＴＲＰによって設定されてよい。これは、ここで制限されない。従って、ＵＥは、ダウンリンク受信ビームを決定した後に、対応するアップリンク送信ビームを決定することができる。図３ａ及び図３ｂは、送信角度及び到来角の概略図である。到来角（ＡｏＡ）は、信号の到来方向とある方向（例えば、水平方向）との間の夾角である。送信角度はまた、発射角（ＡｏＤ）とも呼ばれ、信号の発射角とある方向（例えば、水平方向）との間の夾角である。複数の経路がある場合に、ＵＥによってＡｏＡ／ＡｏＤを具体的に測定及び推定するためのアルゴリズムを参照されたい。詳細については、ここでは記載されない。図３ａ及び図３ｂは、一例として、複数の経路の中の最も強い経路を示す。
【手続補正７】
【補正対象書類名】明細書
【補正対象項目名】０１０１
【補正方法】変更
【補正の内容】
【０１０１】
空間情報に対する疑似コロケーション関係が第２信号と第１信号との間に存在することは、
第２信号の空間情報が第１信号の空間情報から推測され得ることを意味してよく、ここで、空間情報は、受信到来角（ＡｏＡ，到来角又は受信角度とも呼ばれる。）、送信発射角（ＡｏＤ，発射角又は送信角度とも呼ばれる。）、到来角分布（Angle  of  arrival  spread）、発射角分布（Angle  of  departure  spread）、及び空間的相関（spatial  correlation）のうちの少なくとも１つを含んでよい。
【手続補正８】
【補正対象書類名】明細書
【補正対象項目名】０１２３
【補正方法】変更
【補正の内容】
【０１２３】
具体的に、遅延広がり、ドップラー広がり、ドップラーシフト、及び平均遅延は全てがラージスケールパラメータである。アンテナ・ポートＡのようなアンテナ・ポートと、アンテナ・ポートＢのような他のアンテナ・ポートとが、ラージスケールパラメータに対して外見上同じ場所にあることは、アンテナ・ポートＢのチャネル・ラージスケールパラメータが、アンテナ・ポートＡから取得されたチャネル・ラージスケールパラメータを使用することによって推測され得ることを意味する。ラージスケールパラメータは、平均利得を更に含んでよい。更には、ラージスケールパラメータは、空間情報（空間パラメータとも呼ばれる。）を更に含んでよい。空間情報は、受信到来角、発射角（送信角度とも呼ばれる。）、到来角分布、発射角分布、及び空間的相関のうちの少なくとも１つを含んでよい。空間的相関は、信号相関行列に関係があり得る。信号相関行列内の要素は、２つのアンテナユニット間の相関を記述するために使用され、ここで、アンテナユニットは、アンテナ要素又はアンテナ・パネルであってよく、あるいは、他のアンテナユニットであってよい。これは、ここで制限されない。
【手続補正９】
【補正対象書類名】明細書
【補正対象項目名】０１３５
【補正方法】変更
【補正の内容】
【０１３５】
本願で、ＱＣＬの定義については、５ＧにおけるＱＣＬの定義を参照されたい。ニュー・ラジオＮＲシステムでは、ＱＣＬは次の通りに定義される：外見上同じ場所にあるアンテナ・ポートによって送信される信号は、同じラージスケール減衰を免れない。ラージスケール減衰は、次のパラメータ：遅延広がり、ドップラー広がり、ドップラーシフト、平均チャネル利得、平均遅延、及び空間領域パラメータ、のうちの１つ以上を含む。空間領域パラメータは、送信角度（AoD）、支配的な送信角度（Dominant  AoD）、平均到来角（Average  AoA）、到来角（AoA）、チャネル相関行列、到来角の電力方位スペクトル、平均発射角（Average  AoD）、発射角の電力方位スペクトル、送信チャネル相関、受信チャネル相関、送信ビームフォーミング、受信ビームフォーミング、空間チャネル相関、フィルタ、空間フィルタパラメータ、又は空間受信パラメータのようなパラメータの１つ以上であってよい。
【手続補正１０】
【補正対象書類名】明細書
【補正対象項目名】０１５２
【補正方法】変更
【補正の内容】
【０１５２】
例えば、第１信号が複数の信号を含むことは、第１信号が複数のＣＳＩ−ＲＳリソース又はＣＳＩ−ＲＳポートを含むことを意味してよく、第２信号が複数の信号を含むことは、第２信号が複数のＳＲＳリソース又はＳＲＳポートを含むことを意味してよい。
【手続補正１１】
【補正対象書類名】明細書
【補正対象項目名】０１７０
【補正方法】変更
【補正の内容】
【０１７０】
例えば、第１信号が複数の信号を含むことは、第１信号が複数のＣＳＩ−ＲＳリソース又はＣＳＩ−ＲＳポートを含むことを意味してよく、第２信号が複数の信号を含むことは、第２信号が複数のＳＲＳリソース又はＳＲＳポートを含むことを意味してよい。任意に、ＵＥは、第２信号の送信方向のための基準として第１信号の受信方向を使用してよい。
【手続補正１２】
【補正対象書類名】明細書
【補正対象項目名】０１７６
【補正方法】変更
【補正の内容】
【０１７６】
任意に、第１信号のコンフィグレーション情報は、第１信号のチャネル状態情報測定設定フィールド、第１信号のプロセスフィールド、第１信号のリソースフィールド、第１信号のアンテナ・ポート情報フィールド、及び第１信号のビーム情報フィールドのうちの少なくとも１つを含む。第１信号のビーム情報フィールドは、第１信号のビーム識別子（ＩＤ）を含んでよく、任意に、ＲＳ  ＩＤ及び／又はＲＳアンテナ・ポートのような、ビーム管理のためのＲＳリソースを更に含んでもよい。
【手続補正１３】
【補正対象書類名】明細書
【補正対象項目名】０１７８
【補正方法】変更
【補正の内容】
【０１７８】
第１信号がＣＳＩ−ＲＳであって、第２インジケーション情報がCSI  measurement  settingフィールド（上位層シグナリング）に含まれるとして、以下で示されるように、第２インジケーション情報は、基準ＮＺＰ  ＣＳＩ−ＲＳ  ＩＤフィールド（referenceCsirsNZPId）として表現され得、フィールドは、bit  string（ビット列）として定義される。ビット列内の各ビットは、プロトコルによって前もって定義されるシーケンスにおいて、ＮＺＰ  ＣＳＩ−ＲＳ  ＩＤに対応するＮＺＰ  ＣＳＩ−ＲＳが第２信号の空間情報のための基準となるかどうかを示し得る。他の任意の方法では、フィールドは、いくつかのＮＺＰ  ＣＳＩ−ＲＳ  ＩＤ値を含むことが理解され得、このとき、各ＩＤ値は、第２信号のための基準となるリソースを示す。ＴＲＰは、第２信号の空間情報のための基準として示される必要がある第１信号が属するビームを知っているので、第１信号とビームとの間の関係が制御され得、第２信号の空間情報は制御可能である。
【数４】
2020506583.tif 000021
【手続補正１４】
【補正対象書類名】明細書
【補正対象項目名】０１８１
【補正方法】変更
【補正の内容】
【０１８１】
第２インジケーション情報はまた、物理層シグナリング、例えば、ダウンリンク制御情報（ＤＣＩ）に含まれてもよい。ＤＣＩがチャネル状態情報測定設定フィールド、第１信号のプロセスフィールド、第１信号のリソースフィールド、第１信号のアンテナ・ポート情報フィールド、及び第１信号のビーム情報フィールドのうちの少なくとも１つを含むとき、第２インジケーション情報も、ＤＣＩ内の上記フィールドのうちの少なくとも１つに含まれ得る。代替的に、第２インジケーション情報は、独立したフィールドに含まれてよく、すなわち、上記フィールドのうちのいずれか１つに含まれなくてもよい。
【手続補正１５】
【補正対象書類名】明細書
【補正対象項目名】０１９４
【補正方法】変更
【補正の内容】
【０１９４】
例えば、第１信号が複数の信号を含むことは、第１信号が複数のＣＳＩ−ＲＳリソース又はＣＳＩ−ＲＳポートを含むことを意味してよく、第２信号が複数の信号を含むことは、第２信号が複数のＳＲＳリソース又はＳＲＳポートを含むことを意味してよい。
【手続補正１６】
【補正対象書類名】明細書
【補正対象項目名】０２１２
【補正方法】変更
【補正の内容】
【０２１２】
ＴＲＰ１は、アンテナ・ポート０を使用することによって第１信号を送信するが、ＴＲＰ２は、アンテナ・ポート０を使用せずに第１信号を送信する。
【手続補正１７】
【補正対象書類名】明細書
【補正対象項目名】０２１３
【補正方法】変更
【補正の内容】
【０２１３】
このようにして、ＴＲＰ１のみがアンテナ・ポート０を使用することによって第１信号を送信し、プロトコルは、ＵＥがアンテナ・ポート０を基準として使用することを指定する。従って、ＵＥは、ＴＲＰ１のみにより確立され、アンテナ・ポート０を含むビーム対のダウンリンク到来方向を使用して、アップリンク送信方向を決定することを可能にされる。
【手続補正１８】
【補正対象書類名】明細書
【補正対象項目名】０２３８
【補正方法】変更
【補正の内容】
【０２３８】
更に、５ｂ、５ｃ、及び５ｄにおける少なくとも１つの方法を使用することによって、ＵＥは、第１信号と第２信号との間の空間領域関係を知ることができる。空間領域関係は、本願の他の部分で述べられている空間パラメータ、例えば、送信角度（AoD）、支配的な送信角度（Dominant  AoD）、平均到来角（Average  AoA）、到来角（AoA）、チャネル相関行列、到来角の電力方位スペクトル、平均発射角（Average  AoD）、発射角の電力方位スペクトル、送信チャネル相関、受信チャネル相関、送信ビームフォーミング、受信ビームフォーミング、空間チャネル相関、空間フィルタ、空間フィルタパラメータ、又は空間受信パラメータなどパラメータの１つ以上を含む。経路損失及び／又はタイミングアドバンスも空間領域関係に関係があるので、第２信号と空間領域関係を有する第１信号をＵＥが決定するという条件で、ＵＥは、第２信号のアップリンク送信電力を決定するために、第１信号の受信電力を使用することによってダウンリンク経路損失を測定するか、あるいは、第２信号の送信時間を決定するために、第１信号の受信時間を使用することによってタイミングアドバンスを調整し得る。このように、ＵＥは、第１信号を受信し、第２信号と第１信号との間の関係を決定することができる。更に、ＵＥは、次の：第１信号を受信するための空間情報に基づき、第２信号を送信するための対応する空間情報を決定すること、第１信号の受信電力に基づき第２信号の送信電力を決定すること、及び第１信号の受信時間に基づき第２信号の送信時間を決定すること、の１つ以上を実行することができる。
【手続補正１９】
【補正対象書類名】明細書
【補正対象項目名】０２５９
【補正方法】変更
【補正の内容】
【０２５９】
アップリンク信号は、第２信号及び／又は第２信号に関連する信号を含む。任意に、ＵＥは、第１信号と第２信号及び／又は第２信号に関連する信号との間の対応を得る。５ｃ、５ｄ、及び５ｂにおける少なくとも１つの方法は、対応を得るために実行されてよい。
【手続補正２０】
【補正対象書類名】明細書
【補正対象項目名】０２８８
【補正方法】変更
【補正の内容】
【０２８８】
装置は、プロセッサ１１０、メモリ１２０、バスシステム１３０、受信器１４０、及び送信器１５０を含んでよい。プロセッサ１１０、メモリ１２０、受信器１４０、及び送信器１５０は、バスシステム１３０によって接続されている。メモリ１２０は、命令を記憶するよう構成される。プロセッサ１１０は、メモリ１２０に記憶されている命令を実行して、信号を受信するように受信器１４０を制御し且つ信号を送信するように送信器１５０を制御し、上記の方法における第１無線ネットワークデバイス（例えば、基地局）及び第２無線ネットワークデバイスのステップを完了するよう構成される。受信器１４０及び送信器１５０は、同じ物理エンティティ又は異なる物理エンティティであってよい。受信器１４０及び送信器１５０が同じ物理エンティティである場合に、それらは集合的にトランシーバと呼ばれることがある。メモリ１２０は、プロセッサ１１０に組み込まれてよく、あるいは、プロセッサ１１０とは別個に配置されてよい。
【手続補正２１】
【補正対象書類名】明細書
【補正対象項目名】０２９９
【補正方法】変更
【補正の内容】
【０２９９】
メモリ１２０又は２２０は、リード・オンリー・メモリ及びランダム・アクセス・メモリを含み、命令及びデータをプロセッサ１１０又は２１０へ供給し得る。メモリの一部は、不揮発性ランダム・アクセス・メモリを更に含んでよい。例えば、メモリは、デバイスタイプの情報を更に記憶し得る。
【国際調査報告】
2020506583.tif 000022
2020506583.tif 000023
2020506583.tif 000024
2020506583.tif 000025